(57)【要約】【課題】視認性が向上した表示部を有する情報端末を提供する。【解決手段】複数の画素と、タッチセンサと、を有する表示部を有する情報端末で、複数の画素はそれぞれ第１の表示素子と、第２の表示素子を有し、表示部に第１のデータが前記第１の表示素子を用いて表示されており、第１のデータは、表示部の第１の領域において第１の表示素子をＯＮとし、第１の領域と重ならない第２の領域において第１の表示素子をＯＦＦとすることにより表示されており、タッチセンサから、表示部の第３の領域に入力された第２のデータに基づき、第１の領域と第３の領域が重なる領域において、第１の表示素子をＯＦＦ、第２の表示素子をＯＮとし、第２の領域と前記第３の領域が重なる領域において、第１の表示素子および第２の表示素子をＯＦＦとすることで、第１のデータと第２のデータを重ね合わせたデータを表示する。【選択図】図１
2018055609.tif 000002
【特許請求の範囲】
【請求項１】
表示部を有し、
前記表示部は、
第１の表示素子と第２の表示素子を有する画素、および
タッチセンサを有し、
前記第１の表示素子がＯＮであり、且つ前記第２の表示素子がＯＦＦの場合、
前記タッチセンサからの入力に基づき前記第１の表示素子はＯＦＦになり、且つ前記第２の表示素子はＯＮとなり、
前記第１の表示素子がＯＦＦであり、且つ前記第２の表示素子がＯＦＦの場合、
前記タッチセンサからの入力に基づき前記第１の表示素子はＯＦＦのままで、前記第２の表示素子がＯＮとなるように構成されている情報端末。
【請求項２】
請求項１において、
前記第１の表示素子は液晶素子であり、
前記第２の表示素子は発光素子であることを特徴とする情報端末。
【請求項３】
請求項１または請求項２において、
前記第１の表示素子、前記第２の表示素子、および前記タッチセンサは、少なくとも一部がお互い重なり合うように設けられ、
前記第２の表示素子上に前記第１の表示素子が設けられることを特徴とする情報端末。
【請求項４】
表示部を有し、
前記表示部は、
第１の表示素子と第２の表示素子を有する第１の画素、
第３の表示素子と第４の表示素子を有する第２の画素、および
タッチセンサを有し、
前記第１の表示素子がＯＮであり、且つ前記第２の表示素子乃至前記第４の表示素子がＯＦＦの場合、
前記タッチセンサからの入力に基づき前記第１の表示素子はＯＦＦとなり、
前記第２の表示素子がＯＮとなり、
前記第３の表示素子はＯＦＦのままで、
前記第４の表示素子はＯＦＦのままとなるように構成されている情報端末。
【請求項５】
請求項４において、
前記第１の表示素子および前記第３の表示素子は液晶素子であり、
前記第２の表示素子および前記第４の表示素子は発光素子であることを特徴とする情報端末。
【請求項６】
請求項４または請求項５において、
前記第１の表示素子、前記第２の表示素子は、少なくとも一部がお互い重なり合うように設けられ、
前記第２の表示素子上に前記第１の表示素子が設けられ、
前記第３の表示素子、前記第４の表示素子は、少なくとも一部がお互い重なり合うように設けられ、
前記第４の表示素子上に前記第３の表示素子が設けられることを特徴とする情報端末。
【請求項７】
表示部を有し、
前記表示部は、
複数の画素と、
タッチセンサと、を有し、
前記複数の画素はそれぞれ第１の表示素子と、第２の表示素子を有し、
前記表示部において、前記表示部の第１の領域の前記第１の表示素子をＯＮとし、且つ前記第１の領域と重ならない、前記表示部の第２の領域の前記第１の表示素子をＯＦＦとすることにより、第１のデータが表示されており、
前記タッチセンサから、前記表示部の第３の領域に入力された第２のデータに基づき、
前記第１の領域と前記第３の領域が重なる第４の領域において、前記第１の表示素子をＯＦＦとし、前記第２の表示素子をＯＮとし、
前記第２の領域と前記第３の領域が重なる第５の領域において、前記第１の表示素子および前記第２の表示素子をＯＦＦとすることで、前記第１のデータと前記第２のデータを重ね合わせたデータを表示するように構成されている情報端末。
【請求項８】
請求項７において、
前記第１の表示素子は液晶素子であり、
前記第２の表示素子は発光素子であることを特徴とする情報端末。
【請求項９】
請求項７または請求項８において、
前記複数の画素において、それぞれ前記第１の表示素子および前記第２の表示素子は少なくとも一部がお互い重なり合うように設けられ、
前記第２の表示素子上に前記第１の表示素子が設けられることを特徴とする情報端末。
【請求項１０】
請求項７乃至請求項９において、
前記第１のデータはテキストデータであることを特徴とする情報端末。
【請求項１１】
教育機関と、
前記教育機関が管理するサーバーと、
情報端末と、
前記サーバーと前記情報端末が通信可能なネットワークを備え、
前記情報端末は、表示部に複数の画素とタッチセンサを備え、
前記複数の画素はそれぞれ第１の表示素子と、第２の表示素子を備え、
前記サーバーから前記情報端末へ問題を含む第１のデータが配信され、
前記問題は前記情報端末の前記第１の表示素子により表示され、
ユーザは、前記問題に対して、前記タッチセンサを用いて前記情報端末に解答を入力し、前記解答は前記第２の表示素子により表示され、
前記情報端末から前記サーバーへ前記解答を含む第２のデータが配信され、
前記教育機関は、前記解答の採点を行い、
前記サーバーから前記情報端末へ前記採点を含む第３のデータが配信され、
前記問題および前記解答は前記第１の表示素子により表示され、前記採点は前記第２の表示素子により表示されることを特徴とする教育支援システム。
【発明の詳細な説明】
【技術分野】
【０００１】
本発明の一形態は、情報端末、表示装置、これらを用いた教育支援システム、およびスケジュール管理システムに関する。
【０００２】
また、本発明の一形態は、半導体装置に関する。なお本発明の一形態は、上記の技術分野に限定されない。本明細書等で開示する発明の技術分野は、物、方法、または、製造方法に関するものである。または、本発明の一形態は、プロセス、マシン、マニュファクチャ、または、組成物（コンポジション・オブ・マター）に関するものである。
【０００３】
なお、本明細書等において半導体装置とは、半導体特性を利用することで機能しうる装置全般を指す。表示装置、発光装置、記憶装置、電気光学装置、半導体回路及び電子機器は、半導体装置を有する場合がある。
【背景技術】
【０００４】
反射型素子と発光型素子を組み合わせた、表示装置が提案されている（特許文献１）。明るい環境では反射型素子、暗い環境では発光型素子を用いることで、外光環境に依存しない良好な表示品質と、消費電力が少ない表示装置、を提供することができる。
【０００５】
また、酸化物半導体トランジスタ（Ｏｘｉｄｅ  Ｓｅｍｉｃｏｎｄｕｃｔｏｒトランジスタ、以下、ＯＳトランジスタと呼称する）を、液晶ディスプレイや有機ＥＬ（エレクトロルミネッセンス）ディスプレイなどの表示装置に用いる技術が注目されている。
【０００６】
ＯＳトランジスタはオフ電流が非常に小さい。そのことを利用して、静止画像を表示する際のリフレッシュ頻度を少なくし、液晶ディスプレイや有機ＥＬディスプレイの消費電力を低減する技術が開示されている（特許文献２、特許文献３）。なお、本明細書において、上述の表示装置の消費電力を減らす技術を、アイドリングストップと呼称する。
【０００７】
また、特許文献４には、ＯＳトランジスタを用いて液晶ディスプレイと光学式タッチセンサを構成した例が開示されている。
【先行技術文献】
【特許文献】
【０００８】
【特許文献１】特開２００３−１５７０２６号公報
【特許文献２】特開２０１１‐１４１５２２号公報
【特許文献３】特開２０１１‐１４１５２４号公報
【特許文献４】特開２０１１−２１０２５４号公報
【発明の概要】
【発明が解決しようとする課題】
【０００９】
本発明の一形態は、消費電力の小さい情報端末を提供することを課題の一とする。また、本発明の一形態は、視認性の優れた情報端末を提供することを課題の一とする。また、本発明の一形態は、新規な情報端末を提供することを課題の一とする。また、本発明の一形態は、新規な半導体装置を提供することを課題の一とする。
【００１０】
また、本発明の一形態は、情報端末の視認性を向上させる表示方法および駆動方法を提供することを課題の一とする。また、本発明の一形態は、情報端末を用いた新たな教育支援システムを提供することを課題の一とする。また、本発明の一形態は、情報端末を用いた新たなスケジュール管理システムを提供することを課題の一とする。
【００１１】
なお、複数の課題の記載は、互いの課題の存在を妨げるものではない。なお、本発明の一形態は、これらの課題の全て解決する必要はない。また、列記した以外の課題が、明細書、図面、請求項などの記載から、自ずと明らかとなるものであり、これらの課題も、本発明の一形態の課題となり得る。
【課題を解決するための手段】
【００１２】
本発明の一形態は、表示部を有し、表示部は第１の表示素子と第２の表示素子を有する画素、およびタッチセンサを有する情報端末である。第１の表示素子がＯＮであり、且つ第２の表示素子がＯＦＦの場合、タッチセンサからの入力に基づき第１の表示素子はＯＦＦとなり、第２の表示素子はＯＮとなる。また、第１の表示素子がＯＦＦであり、且つ第２の表示素子がＯＦＦの場合、タッチセンサからの入力に基づき第１の表示素子はＯＦＦのままで、第２の表示素子がＯＮとなるように構成される。
【００１３】
なお、上記態様において、第１の表示素子は液晶素子とし、第２の表示素子は発光素子としてもよい。
【００１４】
なお、上記態様において、第１の表示素子、第２の表示素子、およびタッチセンサは、少なくとも一部がお互い重なり合うように設けられ、第２の表示素子上に第１の表示素子が設けられることが好ましい。
【００１５】
本発明の一形態は、表示部を有し、表示部は、第１の表示素子と第２の表示素子を有する第１の画素、第３の表示素子と第４の表示素子を有する第２の画素、およびタッチセンサを有する情報端末である。第１の表示素子がＯＮであり、且つ第２の表示素子乃至第４の表示素子がＯＦＦの場合、タッチセンサからの入力に基づき第１の表示素子はＯＦＦとなり、第２の表示素子がＯＮとなり、第３の表示素子はＯＦＦのままで、第４の表示素子はＯＦＦのままとなるように構成される。
【００１６】
なお、上記態様において、第１の表示素子および第３の表示素子は液晶素子とし、第２の表示素子および第４の表示素子は発光素子としてもよい。
【００１７】
なお、上記態様において、第１の表示素子、第２の表示素子は、少なくとも一部がお互い重なり合うように設けられ、第２の表示素子上に第１の表示素子が設けられ、第３の表示素子、第４の表示素子は、少なくとも一部がお互い重なり合うように設けられ、第４の表示素子上に第３の表示素子が設けられることが好ましい。
【００１８】
本発明の一態様は、表示部を有し、表示部は、複数の画素と、タッチセンサと、を有し、当該複数の画素はそれぞれ第１の表示素子と、第２の表示素子を有する情報端末である。表示部において、表示部の第１の領域の第１の表示素子をＯＮとし、且つ第１の領域と重ならない表示部の第２の領域の第１の表示素子をＯＦＦとすることにより第１のデータが表示されている場合、タッチセンサから、表示部の第３の領域に入力された第２のデータに基づき、第１の領域と第３の領域が重なる第４の領域において、第１の表示素子をＯＦＦとし、且つ第２の表示素子をＯＮとし、第２の領域と第３の領域が重なる第５の領域において、第１の表示素子および第２の表示素子をＯＦＦとすることで、第１のデータと第２のデータを重ね合わせたデータを表示するように構成される。
【００１９】
なお、上記態様において、第１の表示素子は液晶素子とし、第２の表示素子は発光素子としてもよい。
【００２０】
なお、上記態様において、当該複数の画素において、それぞれ第１の表示素子および第２の表示素子は少なくとも一部がお互い重なり合うように設けられ、第２の表示素子上に第１の表示素子が設けられることが好ましい。
【００２１】
なお、上記態様において、第１のデータはテキストデータであることが好ましい。
【００２２】
本発明の一態様は、教育機関と、教育機関が管理するサーバーと、情報端末と、サーバーと情報端末が通信可能なネットワークを備え、情報端末は、表示部に複数の画素とタッチセンサを備え、複数の画素はそれぞれ第１の表示素子と、第２の表示素子を備え、サーバーから情報端末へ問題を含む第１のデータが配信され、問題は情報端末の第１の表示素子により表示され、ユーザは、問題に対して、タッチセンサを用いて情報端末に解答を入力し、解答は第２の表示素子により表示され、情報端末からサーバーへ解答を含む第２のデータが配信され、教育機関は、解答の採点を行い、サーバーから情報端末へ採点を含む第３のデータが配信され、問題および解答は第１の表示素子により表示され、採点は第２の表示素子により表示される教育支援システムである。
【発明の効果】
【００２３】
本発明の一形態により、消費電力の小さい情報端末を提供することができる。本発明の一形態により、視認性の優れた情報端末を提供することができる。また、本発明の一形態により、新規な情報端末を提供することができる。また、本発明の一形態により、新規な半導体装置を提供することができる。
【００２４】
また、本発明の一形態により、情報端末の視認性を向上させる表示方法および駆動方法を提供することができる。また、本発明の一形態により、情報端末を用いた新たな教育支援システムを提供することができる。また、本発明の一形態により、情報端末を用いた新たなスケジュール管理システムを提供することができる。
【００２５】
なお、これらの効果の記載は、他の効果の存在を妨げるものではない。なお、本発明の一形態は、これらの効果の全てを有する必要はない。なお、これら以外の効果は、明細書、図面、請求項などの記載から、自ずと明らかとなるものであり、明細書、図面、請求項などの記載から、これら以外の効果を抽出することが可能である。
【図面の簡単な説明】
【００２６】
【図１】情報端末の形態および使用例を示す図。
【図２】情報端末の形態および使用例を示す図。
【図３】（Ａ）表示パネルの構成例を示す上面図、（Ｂ）画素の構成例を示すブロック図。
【図４】表示領域における表示方法の一態様を示す図。
【図５】表示領域における表示方法の一態様を示す図。
【図６】表示領域における表示方法の一態様を示す図。
【図７】表示領域における表示方法の一態様を示す図。
【図８】表示領域における表示方法の一態様を示す図。
【図９】表示領域における表示方法の一態様を示す図。
【図１０】表示領域における表示方法の一態様を示す図。
【図１１】表示領域における表示方法の一態様を示す図。
【図１２】表示装置の構成例を示すブロック図。
【図１３】表示装置の構成例を示すブロック図。
【図１４】表示方法の一例を示すフローチャート。
【図１５】表示方法の一例を示すタイミングチャート。
【図１６】画素の構成例を示す回路図。
【図１７】表示領域の構成例を示すブロック図。
【図１８】表示装置の構成例を示すブロック図。
【図１９】表示方法の一例を示すタイミングチャート。
【図２０】表示方法の一例を示すタイミングチャート。
【図２１】表示装置の断面図。
【図２２】表示装置の断面図。
【図２３】表示装置の断面図。
【図２４】表示装置の断面図。
【図２５】表示装置の断面図。
【図２６】表示モジュールの構成例を説明する図。
【図２７】教育支援システムの一態様を説明する図。
【図２８】（Ａ）教育支援システムの一態様を説明するブロック図、（Ｂ）教育支援システムの一態様を説明するタイミングチャート。
【図２９】教育支援システムの一態様を説明するフローチャート。
【図３０】（Ａ）スケジュール管理システムの一態様を示す図、（Ｂ）スケジュール管理システムの一態様を示すブロック図。
【発明を実施するための形態】
【００２７】
以下、実施の形態について図面を参照しながら説明する。但し、実施の形態は多くの異なる形態で実施することが可能であり、趣旨及びその範囲から逸脱することなくその形態及び詳細を様々に変更し得ることは当業者であれば容易に理解される。従って、本発明は、以下の実施の形態の記載内容に限定して解釈されるものではない。
【００２８】
また、図面において、大きさ、層の厚さ、または領域は、明瞭化のために誇張されている場合がある。よって、必ずしもそのスケールに限定されない。なお図面は、理想的な例を模式的に示したものであり、図面に示す形状または値などに限定されない。
【００２９】
なお、本明細書中において、高電源電圧をＨレベル（又はＶＤＤ）、低電源電圧をＬレベル（又はＧＮＤ）と呼ぶ場合がある。
【００３０】
また、本明細書は、以下の実施の形態を適宜組み合わせることが可能である。また、１つの実施の形態の中に、複数の構成例が示される場合は、互い構成例を適宜組み合わせることが可能である。
【００３１】
（実施の形態１）
本実施の形態では、本発明の一形態である情報端末について説明を行う。
【００３２】
《情報端末１０》
図１は情報端末１０の形態および使用例を示している。情報端末１０は、筐体１１、表示領域１２を有する表示パネル、操作ボタン１３、操作ボタン１４、カメラ１５等を有する。また、図１（Ｂ）に示すようにスタイラスなどのタッチペン１６が付属されていても良い。表示領域１２は複数の画素を有している。各画素には、第１の表示素子および第２の表示素子が設けられており、これらのいずれか一方、あるいは両方を用いて表示を行うことができる。また、カラー表示を行う表示装置では、画素は色毎にサブ画素を有する場合もある。例えば、赤を表示させるためのサブ画素（Ｒ）、緑を表示させるためのサブ画素（Ｇ）、青を表示させるためのサブ画素（Ｂ）が各画素に設けられることで、フルカラー表示が可能となる。また、サブ画素を、シアン（Ｃ）、マゼンタ（Ｍ）、イエロー（Ｙ）等で構成し、フルカラー表示を行ってもよい。この場合は、各サブ画素が第１の表示素子および第２の表示素子を有しても良い。また、画素毎に第１の表示素子を有し、サブ画素毎に第２の表示素子を有しても良い。
【００３３】
第１の表示素子と第２の表示素子は異なる表示方式により表示を行う。例えば、第１の表示素子を外光を利用する表示素子とし、第２の表示素子を自発光型の表示素子とすることができる。外光を利用する表示素子としては、反射型の液晶表示素子、電気泳動方式の表示素子、マイクロカプセル方式の表示素子、エレクトロウェッティング方式の表示素子等を用いることができる。
【００３４】
ここで、外光を利用する表示素子とは、表示に必要な光源として外光を用いる表示素子のことをいう。また、外光とは、屋外における太陽光や、屋内における蛍光灯や電球等の照明からの光、表示パネルの全面や端部に設けられたフロントライトからの光など、情報端末１０が有する表示パネルへ入射する光のことをいう。
【００３５】
また、自発光型の表示素子としては、エレクトロルミネセンスを用いた発光素子を用いることができる。このような発光素子として、発光ダイオード（ＬＥＤ）、有機ＥＬ（ＯＥＬ、またはＯＬＥＤともいう）、無機ＥＬ（ＩＥＬ）、量子ドットＬＥＤ（ＱドットＬＥＤ）等を用いることができる。また、本実施の形態では、バックライトを用いて表示を行う透過型液晶素子を自発光型の表示素子に置き換え、外光を利用する表示素子と一体化させて表示を行うことも可能である。本実施の形態では、このように一つの画素に２種類の表示素子を用いる表示方法をハイブリッド表示方法、またこのような表示装置をハイブリッドディスプレイと呼ぶ。
【００３６】
ハイブリッド表示とは、１つのパネルにおいて、反射型素子での反射光と自発光型素子（例えば、ＯＥＬ、ＬＥＤ等）からの発光とを併用して、色調または光強度を互いに補完して、文字または画像を表示する方法である。  または、ハイブリッド表示とは、同一画素または同一副画素において複数の表示素子から、それぞれの光を用いて、文字及び／または画像を表示する方法である。ただし、ハイブリッド表示を行っているハイブリッドディスプレイを局所的にみると、複数の表示素子のいずれか一方を用いて表示される画素または副画素と、複数の表示素子の双方二以上を用いて表示される画素または副画素と、を有する場合がある。
【００３７】
なお、本明細書等において、上記構成のいずれか１つまたは複数の表現を満たすものを、ハイブリッド表示という。
【００３８】
また、ハイブリッドディスプレイは、同一画素または同一副画素に複数の表示素子を有する。なお、複数の表示素子としては、例えば、光を反射する反射型素子と、光を射出する自発光素子とが挙げられる。なお、反射型素子と、自発光素子とは、それぞれ独立に制御することができる。ハイブリッドディスプレイは、表示部において、反射型素子での反射光と自発光型素子からの発光のいずれか一方または双方を用いて、文字及び／または画像を表示する機能を有する。
【００３９】
また、ハイブリッドディスプレイが有する表示パネルの表面は、平面、曲面、またはその両方を有する。
【００４０】
また、ハイブリッドディスプレイとは、表示方式の異なる表示装置を一体化させた表示装置と呼ぶこともできる。例えば、反射型液晶表示装置と有機ＥＬ表示装置を一体化させた表示装置、あるいは反射型液晶表示装置と透過型液晶表示装置を一体化させた表示装置をハイブリッドディスプレイと呼ぶことができる。
【００４１】
表示領域１２は画像や文字などの情報を表示する機能を有する。また、表示領域１２はタッチセンサを有する。なお、タッチセンサとしては、光学式タッチセンサ、静電容量式タッチセンサ、電磁誘導式タッチセンサなどを用いることができる。タッチセンサが表示パネルに組み込まれたインセル型タッチパネルやオンセル型タッチパネルとしてもよいし、表示パネル上にタッチセンサを有するタッチパネルを設けたアウトセル型タッチパネルとしてもよい。光学式タッチセンサとしては、表示パネルにフォトダイオードを設け表示パネル表面の光を検知する方式を用いてもよいし、筐体１１に設けられた発光部（図示せず）から発せられ、表示パネル表面に発せられた光を筐体１１に設けられた受光部（図示せず）で検知する方式を用いてもよい。
【００４２】
情報端末１０の使用者は、指や、スタイラスなどのタッチペン１６などを使って、文字、線、または図形などの情報を入力することができる。使用者が手描きで入力した情報は、表示領域１２に設けられたタッチセンサで読み取られ、表示領域１２で表示される。
【００４３】
図１（Ａ）は、表示領域１２で表示された文字２１に、使用者が線やマーカーを書き込み、特定の文字を強調または削除している例を示している。図１（Ａ）は、下線２２、枠線２３、取り消し線２４、マーカー２５が示されている。マーカー２５は紙に書かれた文字を蛍光ペンでなぞった場合と同じ役割を果たす。
【００４４】
上記線やマーカーの色は使用者が自由に選ぶことができる。
【００４５】
また、図１（Ｂ）は、問題等の文字が表示された表示領域１２に使用者が解答等の文字２６を入力（書き込み）している様子を示している。図１（Ｂ）に示す情報端末１０は横方向に長い表示領域１２を有しているが、これに限らない。図１（Ａ）に示すように縦長の表示領域１２を有する情報端末１０としてもよいし、図１（Ｂ）に示す情報端末１０の向きを変え、表示領域１２を縦長にして使用してもよい。
【００４６】
図１（Ｂ）では、画面の左側に文字の入力、画面の右側で計算を行う例を示しているが、これに限らない。画面左側に問題が出題され、画面右側に解答を入力してもよい。画面左側にメッセージを表示させ、画面右側に返事や回答を入力してもよい。メッセージとしては、例えば電子メール（ｅ−メール）等を用いてもよい。入力したデータ（線、マーカー、文字等）は、ネットワークを用いて送信することができる。例えば教育機関により出題された問題を、ネットワークを介して受け取り、情報端末１０を用いて解答した後、解答を教育機関へ送信し、教育機関は解答に対して採点を行い、採点結果を情報端末１０に送信するビジネスモデルに適用できる。
【００４７】
また、以降において、情報端末１０は外光が充分に明るい環境下で使用され、情報端末１０の使用者は反射型の液晶素子による表示を認識することができる前提で説明を行う。
【００４８】
例えば、情報端末１０を教科書として利用する場合、教科書の文字や画像は外光を利用する表示素子によって表示されることが好ましい。外光を利用する表示素子として、反射型の液晶素子を用いると、情報端末１０の使用者は紙媒体の教科書を読んでいるときと同じ体験をし、長時間使用を続けても疲れにくい。また、反射型の液晶素子は消費電力が小さいため、情報端末１０は長時間使用してもバッテリの消費が少ない。
【００４９】
例えば、情報端末１０を教科書として利用する場合、使用者が教科書に書き込んだ線やマーカーなどは、タッチセンサで検知され、自発光型の表示素子で表示されることが好ましい。すなわち、下線２２、枠線２３、取り消し線２４およびマーカー２５などは、自発光型の表示素子によって表示されることが好ましい。自発光型の表示素子に有機ＥＬを素子を用いると、自発光型の表示素子は有機ＥＬ素子が発光している領域のみ動的な電力を消費する。図１において、線やマーカーが表示される面積は表示領域１２全体に対して小さい。上述の線やマーカーの領域のみを発光させ、それ以外の領域を全て非発光にすることで、情報端末１０は消費電力を大幅に低減させることができる。
【００５０】
また、上記線やマーカーは発光素子によって表示されるため、反射型の液晶素子によって表示される文字と比較して区別しやすい。その結果、情報端末１０は線やマーカーがはっきり目立つ、視認性の優れた情報端末となる。
【００５１】
また、上記線やマーカーを発光素子によって表示（ＯＮ）する場合、当該領域においては反射型の液晶素子を非表示（ＯＦＦ）にするのが好ましい。反射型の液晶素子をＯＦＦにすることで、発光素子により表示される線やマーカーの色に反射型の液晶素子による表示色が混ざることなく表示が可能となる。よって、情報端末の視認性がより向上する。
【００５２】
情報端末１０は、使用環境に応じて、表示領域の背景色や文字の色を変えることができる。図１は白色の背景色に黒色の文字を表示した例であるが、この場合、外光が明るすぎると、発光素子で表示させているマーカーの視認性が低下する場合がある。そのときは、背景色を黒色とし、文字を白色にすればよい（図２参照）。このように、背景色を黒色にすることで、外光が明るい環境でも、線やマーカーの視認性を向上させることができる。
【００５３】
外光を利用する表示素子および自発光型の表示素子を駆動するスイッチング素子として、チャネル形成領域に酸化物半導体を有するトランジスタ（ＯＳトランジスタ）を用いることが好ましい。外光を利用する表示素子および／または自発光型の表示素子にＯＳトランジスタを用いることで、先述のアイドリングストップが可能になり、情報端末１０の消費電力を抑えることができる。
【００５４】
図３に情報端末１０が有する表示パネル３０の構成例を示す。図３（Ａ）は表示パネル３０の上面図である。表示パネル３０は、表示領域１２、ＦＰＣ３７２、ゲートドライバ３４およびソースドライバ３５を有する。表示領域１２はマトリクス状に配置された画素３１で構成されている。図３では、ゲートドライバ３４が左右に配置した例を示すが、構成はこれに限定されず、どちらか一方でも良い。
【００５５】
図３（Ｂ）は画素３１の構成例を示すブロック図である。画素３１は、タッチセンサ１５０、第１の表示素子１１０および第２の表示素子１３０を有する。第１の表示素子１１０および第２の表示素子１３０は情報端末１０の表示部としての機能を有する。タッチセンサ１５０は情報端末１０にタッチ入力を行うタッチセンサとしての機能を有する。
【００５６】
タッチセンサ１５０にフォトダイオードが設けられ、光学式タッチセンサとしての機能を有してもよい。タッチセンサ１５０は、フォトダイオードに照射される光の強度を検出し、指や、スタイラスなどのタッチペンなどの物体の近接または接触を検知することができる。検知画素に設けられるタッチセンサとしては、光学式タッチセンサ以外にも、静電容量式タッチセンサや、電磁誘導式タッチセンサを用いることができる。
【００５７】
第１の表示素子１１０は外光を利用する表示素子を有する。外光を利用する表示素子としては、反射型の液晶表示素子、電気泳動方式の表示素子、マイクロカプセル方式の表示素子、エレクトロウェッティング方式の表示素子等を用いることができる。本実施の形態では、外光を利用する表示素子として、反射型の液晶表示素子を用いる例を示す。反射型の液晶素子を用いることで、情報端末１０の消費電力を低減することができる。または、外光が明るい環境下において高いコントラストで画像を良好に表示することができる。
【００５８】
第２の表示素子１３０は自発光型の表示素子を有する。自発光型の表示素子としては、エレクトロルミネセンスを用いた発光素子を用いることができる。このような発光素子として、発光ダイオード（ＬＥＤ）、有機ＥＬ（ＯＥＬ、またはＯＬＥＤともいう）、無機ＥＬ（ＩＥＬ）、量子ドットＬＥＤ（ＱドットＬＥＤ）等を用いることができる。また、本実施の形態では、バックライトを用いて表示を行う透過型液晶素子を自発光型の表示素子に置き換え、外光を利用する表示素子と組み合わせて表示を行うことも可能である。本実施の形態では、自発光型の表示素子として、有機ＥＬ素子を用いる例を示す。
【００５９】
また、表示パネル３０をフルカラー表示パネルとするとき、各色に応じて画素３１を設けてもよい。ここで、各色とは、赤（Ｒ）、緑（Ｇ）、および青（Ｂ）のいずれか、あるいはシアン（Ｃ）、マゼンタ（Ｍ）、およびイエロー（Ｙ）のいずれかを差す。この場合、画素３１は副画素として機能する。
【００６０】
画素３１の占有面積は、タッチを行う指やタッチペンに比べて充分に小さいことが好ましい。情報端末１０は、画素３１ごとにタッチセンサ１５０が設けられているので、隣り合うタッチセンサ１５０同士の間隔が狭い、そのためタッチセンサの精度が高く、先が細いタッチペンでも入力可能である。
【００６１】
本実施の形態では、画素３１ごとにタッチセンサ１５０を設ける例を示したが、これに限らない。一つのタッチセンサ１５０で複数の画素３１上へのタッチ入力を検知してもよい。また、図３（Ｂ）では、タッチセンサ１５０が第１の表示素子１１０および第２の表示素子１３０に並ぶように設けられているが、本実施の形態はこれに限らない。タッチセンサ１５０は、第１の表示素子１１０および第２の表示素子の一方または両方と重なるように設けられてもよい。
【００６２】
次に、図４乃至図１１を用いて、本発明の表示方法の一形態を説明する。図４（Ａ）は、表示領域１２の一部を示している。また、図４乃至図１１の中には、説明を簡単にするため、点線を用いて表示領域１２内の座標を示しているものもあるが、これは実際に表示領域１２に表示されるものではない。また、座標の示す領域の大きさや位置の定義は任意であり、これにより本発明が限定されることはない。また、図４乃至図１１の説明において、第１の表示素子は、白黒表示を行うとし、黒表示をＯＦＦ、白表示をＯＮと表現する。また、図４乃至図１１の説明において、第２の表示素子は、カラー表示を行うとし、黒表示をＯＦＦ、赤表示、緑表示、青表示、白表示などの黒表示以外の表示をＯＮと表現する。
【００６３】
＜下線の例＞
図４（Ａ）では表示領域１２に文字としてアルファベットを表示した例を示しており、座標（１，１）、（１，２）、（１，３）、（１，４）、（１，５）、（１，６）にそれぞれＡ、Ｂ、Ｃ、Ｄ、Ｅ、Ｆを表示している。文字の表示には第１の表示素子、すなわち外光を利用する表示素子を用いて表示するのが好ましい。外光を利用する表示素子を用いることで、情報端末１０の使用者は紙媒体の教科書を読んでいるときと同じ体験をし、長時間使用を続けても疲れにくい。また、反射型の液晶素子は消費電力が小さいため、情報端末１０は長時間使用してもバッテリの消費が少ない。特に、先述したアイドリングストップを行うことで情報端末１０の消費電力をさらに低減できる。
【００６４】
表示領域１２に表示される文字はアルファベットに限らない、漢字、かな、ハングル文字、アラビア文字等、世界各国で使用される文字を表示することができる。また、文字以外にも数字、記号、図形や、静止画や動画などの画像の表示も可能である。なお、アルファベットには、ギリシア文字、キリル文字、ラテン文字などが含まれる。
【００６５】
図４乃至図１１では、文字を表示する画素の第１の表示素子を非表示（ＯＦＦ）とし、それ以外の画素の第１の表示素子を表示（ＯＮ）とすることで、表示領域１２に文字を表示する例を示している。また、第１の表示素子が非表示の場合は黒、表示の場合は白として説明を行う。これは、白い紙に対して黒い文字が印刷されているドキュメントを情報端末１０の表示領域１２で再現する為である。しかしながら、本実施の形態はこれに限らない。文字を表示する画素の第１の表示素子をＯＮとし、それ以外の画素の第１の表示素子をＯＦＦとすることで、表示領域１２に文字を表示してもよい。この場合、第１の表示素子をＯＮとすることで当該画素は黒として表示され、第１の表示素子をＯＦＦとすることで当該画素が白として表示される。
【００６６】
文字を黒以外の色で表現しても良いし、紙に相当する背景を白以外の色で表現しても良い。例えば、文字の色は赤、青、緑、茶、灰色等としても良い。一方、背景は黒、茶、灰色、緑、青、黄等としても良い。例えば背景には、新聞紙のような紙質を再現した色やムラを表示しても良いし、絵画で使うキャンバスのような色やムラを表示しても良いし、和紙のような色やムラを表示して良いし、わら半紙や再生紙のような色やムラを表示しても良い。
【００６７】
図４（Ｂ）は、指やスタイラスといったタッチペンを用いて、表示領域１２に設けられたタッチセンサに入力を行った領域４１を示している。図４（Ｂ）の例では、表示領域１２に表示された文字に対する下線として、座標（１，１）、（１，２）、（１，３）、（１，４）、（１，５）、（１，６）の下部に入力が行われている。
【００６８】
図４（Ｃ）はタッチセンサに入力が行われた後の第１の表示素子の表示状態を示している。図４（Ｃ）では、文字の部分だけでなく、タッチセンサに入力が行われた領域４１に対応する領域４３においても第１の表示素子はＯＦＦとなっている。
【００６９】
図４（Ｄ）はタッチセンサに入力が行われた後の第２の表示素子の表示状態を示している。図４（Ｄ）では、タッチセンサに入力が行われた領域４１に対応する領域で第２の表示素子がＯＮとなり、その他の領域ではＯＦＦとなり、下線４５が表示される。第２の表示素子を自発光型の素子とした場合、タッチセンサに入力が行われた領域４１に対応する領域で第２の表示素子が発光し、その他の領域では非発光となり、下線４５が表示される。
【００７０】
図５（Ａ）に、タッチセンサに入力が行われた後の第１の表示素子と第２の表示素子を重ね合わせた状態の表示領域１２の様子を示す。また、図５（Ｂ）は図５（Ａ）の座標を消去したものである。
【００７１】
以上のようにタッチセンサから入力された領域４１において、第１の表示素子をＯＦＦとし、第２の表示素子をＯＮとすることで、文字に対する下線４５の色に第１の表示素子による表示色が混ざることなく表示が可能となる。よって、情報端末の視認性がより向上する。
【００７２】
＜取り消し線の例＞
図６（Ａ）では表示領域１２の座標（１，１）、（１，２）、（１，３）、（１，４）、（１，５）、（１，６）にそれぞれＡ、Ｂ、Ｃ、Ｄ、Ｅ、Ｆを表示している。上記と同様、文字の表示には第１の表示素子、すなわち外光を利用する表示素子を用いている。
【００７３】
図６（Ｂ）は、指やスタイラスといったタッチペンを用いて、表示領域１２に設けられたタッチセンサに入力を行った領域４１を示している。図６（Ｂ）の例では、表示領域１２に表示された文字に対する取り消し線として、座標（１，１）、（１，２）、（１，３）、（１，４）、（１，５）、（１，６）の中央部に入力が行われている。
【００７４】
図６（Ｃ）はタッチセンサに入力が行われた後の第１の表示素子の表示状態を示している。図６（Ｃ）では、文字の部分だけでなく、タッチセンサに入力が行われた領域４１に対応する領域４３においても第１の表示素子はＯＦＦとなっている。
【００７５】
図６（Ｄ）はタッチセンサに入力が行われた後の第２の表示素子の表示状態を示している。図６（Ｄ）では、タッチセンサに入力が行われた領域４１に対応する領域で第２の表示素子がＯＮとなり、その他の領域ではＯＦＦとなり、取り消し線４７が表示される。第２の表示素子を自発光型の素子とした場合、タッチセンサに入力が行われた領域４１に対応する領域で第２の表示素子が発光し、その他の領域では非発光となり、取り消し線４７が表示される。
【００７６】
図７（Ａ）に、タッチセンサに入力が行われた後の第１の表示素子と第２の表示素子を重ね合わせた状態の表示領域１２の様子を示す。また、図７（Ｂ）は図７（Ａ）の座標を消去したものである。
【００７７】
以上のようにタッチセンサから入力された領域において、第１の表示素子をＯＦＦとし、第２の表示素子をＯＮとすることで、文字に対する取り消し線４７の色に第１の表示素子による表示色が混ざることなく表示が可能となる。よって、情報端末の視認性がより向上する。
【００７８】
＜手書き文字入力の例＞
図８（Ａ）では表示領域１２の座標（１，１）、（１，２）、（１，３）にそれぞれＡ、Ｂ、Ｃを表示している。上記と同様、文字の表示には第１の表示素子、すなわち外光を利用する表示素子を用いている。
【００７９】
図８（Ｂ）は、指やスタイラスといったタッチペンを用いて、表示領域１２に設けられたタッチセンサに入力を行った領域４１を示している。図８（Ｂ）の例では、座標（１，４）、（１，５）、（１，６）にそれぞれ文字Ｄ、Ｅ、Ｆを手書き入力する例を示している。
【００８０】
図８（Ｃ）はタッチセンサに入力が行われた後の第１の表示素子の表示状態を示している。図８（Ｃ）では、元々表示されていた文字の部分だけでなく、タッチセンサに入力が行われた領域４１に対応する領域４３、すなわち手書き入力された文字においても第１の表示素子はＯＦＦとなっている。
【００８１】
図８（Ｄ）はタッチセンサに入力が行われた後の第２の表示素子の表示状態を示している。図８（Ｄ）では、タッチセンサに入力が行われた領域４１に対応する領域で第２の表示素子がＯＮとなり、その他の領域ではＯＦＦとなり、手書き入力された文字４９が表示される。第２の表示素子を自発光型の素子とした場合、タッチセンサに入力が行われた領域４１に対応する領域で第２の表示素子が発光し、その他の領域では非発光となり、手書き入力された文字４９が表示される。
【００８２】
図９（Ａ）に、タッチセンサに入力が行われた後の第１の表示素子と第２の表示素子を重ね合わせた状態の表示領域１２の様子を示す。また、図９（Ｂ）は図９（Ａ）の座標を消去したものである。
【００８３】
以上のようにタッチセンサから入力された領域において、第１の表示素子をＯＦＦとし、第２の表示素子をＯＮとすることで、手書き入力された文字４９の色に第１の表示素子による表示色が混ざることなく表示が可能となる。よって、情報端末の視認性がより向上する。
【００８４】
＜マーカーの例＞
図１０（Ａ）では表示領域１２の座標（１，１）、（１，２）、（１，３）、（１，４）、（１，５）、（１，６）にそれぞれＡ、Ｂ、Ｃ、Ｄ、Ｅ、Ｆを表示している。上記と同様、文字の表示には第１の表示素子、すなわち外光を利用する表示素子を用いている。
【００８５】
図１０（Ｂ）は、指やスタイラスといったタッチペンを用いて、表示領域１２に設けられたタッチセンサに入力を行った領域４１を示している。図１０（Ｂ）の例では、表示領域１２に表示された文字を強調するマーカーとして、座標（１，１）、（１，２）、（１，３）に入力が行われている。
【００８６】
図１０（Ｃ）はタッチセンサに入力が行われた後の第１の表示素子の表示状態を示している。図１０（Ｃ）では、文字の部分だけでなく、タッチセンサに入力が行われた領域４１に対応する領域４３においても第１の表示素子はＯＦＦとなっている。
【００８７】
図１０（Ｄ）はタッチセンサに入力が行われた後の第２の表示素子の表示状態を示している。図１０（Ｄ）では、タッチセンサに入力が行われた領域４１に対応する領域の内、第１の表示素子で文字が表示されていない領域、すなわち第１の表示素子がＯＮだった領域のみで第２の表示素子がＯＮとなり、マーカー５１が表示される。一方、タッチセンサに入力が行われた領域４１に対応する領域の内、第１の表示素子で文字が表示されていた領域、すなわち第１の表示素子がＯＦＦだった領域では、第２の表示素子はＯＦＦのままである。第２の表示素子を自発光型の素子とした場合、マーカー５１で示した領域の第２の表示素子が発光し、その他の領域では非発光となり、マーカー５１が表示される。
【００８８】
図１１（Ａ）に、タッチセンサに入力が行われた後の第１の表示素子と第２の表示素子を重ね合わせた状態の表示領域１２の様子を示す。また、図１１（Ｂ）は図１１（Ａ）の座標を消去したものである。
【００８９】
以上のようにタッチセンサから入力された領域において、第１の表示素子をＯＦＦとし、第２の表示素子においては、第１の表示素子で文字が表示されていなかった領域、すなわち第１の表示素子がＯＮだった領域のみをＯＮとし、第１の表示素子で文字が表示されていた領域、すなわち第１の表示素子がＯＦＦだった領域をＯＦＦのままとすることで、あたかも文字に対してマーカーを追記したような表示を行うことができる。また、マーカー５１の色に第１の表示素子による表示色が混ざることなく表示が可能となる。よって、情報端末の視認性がより向上する。
【００９０】
図１２に、本発明のハイブリッドディスプレイ１０００の全体図を示す。ハイブリッドディスプレイ１０００は、表示領域１２、表示領域１２が有するタッチセンサ１００１、ゲートドライバ３４、ソースドライバ３５、アプリケーションプロセッサ１００３、ディスプレイコントローラ１００５などから構成される。表示領域１２は、入力される画像データに対応する表示を行う機能を有する。表示領域１２は、外光を利用する第１の表示素子および自発光型の第２の表示素子から構成され、それぞれの画像データを制御することにより、ハイブリッド表示を行うことが出来る。本実施の形態では、第１の表示素子として反射型液晶素子を用い、第２の表示素子として有機ＥＬ素子を用いる例を示す。ソースドライバ３５は、ディスプレイコントローラ１００５から受信した画像データ（ｄａｔａ１（Ｌ）、ｄａｔａ１（Ｏ））を所望のタイミングにて、表示領域１２に送信する機能を有する。ゲートドライバ３４は、ディスプレイコントローラ１００５から受信した、表示領域１２を駆動するための信号ｇａｔｅ  ｓｉｇｎａｌに従い、表示領域１２のゲート線の信号を制御する機能を有する。タッチセンサ１００１はディスプレイコントローラ１００５から受信したｓｅｎｓｏｒ  ｃｏｎｔｒｏｌにより動作し、タッチを検出する機能を有する。タッチ検出を行った出力信号ｓｅｎｓｏｒ  ｏｕｔｐｕｔはアプリケーションプロセッサ１００３に送信される。尚、タッチセンサ１００１は、アウトセル型のタッチセンサの例を示したが、これに限らない。インセル型やオンセル型のタッチセンサをタッチセンサ１００１として用いてもよい。タッチセンサ１００１としては、光学式タッチセンサ、静電容量式タッチセンサ、電磁誘導式タッチセンサなどを用いることができる。
【００９１】
アプリケーションプロセッサ１００３は、表示領域１２に表示する画像のホストとして機能する。また、アプリケーションプロセッサ１００３は、タッチセンサ１００１の出力信号ｓｅｎｓｏｒ  ｏｕｔｐｕｔを受信し、タッチを解析する機能を有する。また、アプリケーションプロセッサ１００３はタッチの解析結果をもとに、有機ＥＬ素子の画像データ（ｄａｔａ０（Ｏ））を生成する機能を有する。具体的には、信号ｃｏｌｏｒ  ｓｅｔにより、ユーザが所望する色の情報がアプリケーションプロセッサ１００３に送信され、タッチされた領域に、当該ユーザが所望する色の画像データを送信する。また、アプリケーションプロセッサ１００３は表示領域１２に表示する画像データを変更する場合、反射型液晶素子の画像データ（ｄａｔａ０（Ｌ））を生成する機能を有する。また、アプリケーションプロセッサ１００３は、表示領域１２の表示に必要なクロック（ｃｌｋｄ）や同期信号（ｓｙｎｃｄ）及び、タッチセンサ１００１の動作に必要なクロック（ｃｌｋｓ）や同期信号（ｓｙｎｃｓ）を出力する機能を有する。また、アプリケーションプロセッサ１００３は、信号ｐｉｃ  ｃｈａｎｇｅにより、画像を変更するか否かを判定する機能を有する。画像を変更する場合、反射型液晶素子の画像データｄａｔａ０（Ｌ）及び有機ＥＬ素子の画像データｄａｔａ０（Ｏ）が変更される。
【００９２】
ディスプレイコントローラ１００５は、ゲートドライバ３４及びタッチセンサ１００１の制御信号を生成する機能を有する。また、ディスプレイコントローラ１００５は、信号ｍｏｄｅ  ｃｏｎｔｒｏｌに応じて、反射型液晶素子の画像データｄａｔａ１（Ｌ）及び、有機ＥＬ素子の画像データｄａｔａ１（Ｏ）を生成する機能を有する。
【００９３】
ここで、信号ｃｏｌｏｒ  ｓｅｔ、信号ｐｉｃ  ｃｈａｎｇｅ、および信号ｍｏｄｅ  ｃｏｎｔｒｏｌは、ユーザが自由にコントロールできる信号であり、ｕｓｅｒ  ｃｏｎｔｒｏｌ  ｓｉｇｎａｌｓと呼ぶことができる。
【００９４】
図１３にディスプレイコントローラ１００５の構成を示す。ディスプレイコントローラ１００５は、タッチセンサコントローラ１００７、データ処理回路１００９、メモリ（Ｌ）１０１１、メモリ（Ｏ）１０１３、モードコントローラ１０１５、タイミングコントローラ１０１７から構成される。タッチセンサコントローラ１００７は、ｃｌｋｓ及びｓｙｎｃｓの信号に従い、タッチセンサ１００１の制御信号ｓｅｎｓｏｒ  ｃｏｎｔｒｏｌを生成する機能を有する。タイミングコントローラ１０１７は、ｃｌｋｄ及びｓｙｎｃｄの信号に従い、ゲートドライバ３４の制御信号ｇａｔｅ  ｓｉｇｎａｌを生成する機能を有する。モードコントローラ１０１５は、ｍｏｄｅ  ｃｏｎｔｒｏｌの信号に従い、データ処理回路１００９の制御信号ｃｏｎｔを生成する機能を有する。当該制御信号ｃｏｎｔに応じて、データ処理回路１００９の処理内容は変化する。データ処理回路１００９には、ｄａｔａ０（Ｏ）及びｄａｔａ０（Ｌ）が入力される。また、データ処理回路１００９はｄａｔａ１（Ｌ）及びｄａｔａ１（Ｏ）を出力する機能を有する。データ処理回路１００９の具体的な処理内容に関しては、図１４、図１５を用いて後述する。データ処理回路１００９はメモリ（Ｌ）１０１１及びメモリ（Ｏ）１０１３と接続しており、画像信号のやり取りを行うことができる。メモリ（Ｌ）１０１１及びメモリ（Ｏ）１０１３はそれぞれ、反射型液晶素子のフレームメモリ及び有機ＥＬ素子のフレームメモリとして機能する。メモリ（Ｌ）１０１１及びメモリ（Ｏ）１０１３は、ＤＯＳＲＡＭで構成することにより、非常に低頻度のリフレッシュにより、画像データを長期間保持することができる。
【００９５】
図１４に、ハイブリッド表示時のアプリケーションプロセッサ１００３及びディスプレイコントローラ１００５の動作のフローチャートを示す。なお、ここでは、ハイブリッドディスプレイの表示領域１２には、教科書のようなテキスト表示を行うことする。また、反射型液晶素子の画像データにおいて、１は白表示、０は黒表示を意味し、有機ＥＬ素子の画像データにおいて、１は最大輝度にて発光した状態、０は非発光の状態とする。尚、このときの有機ＥＬ素子の表示色は問わない。ハイブリッド表示を行うにあたり、まず、反射型液晶素子のデータを変更するか否かを判定する（２００１）。具体的には、ユーザが所望のタイミングにて信号ｐｉｃ  ｃｈａｎｇｅにより、画像の変更を行うか否かを決める。反射型液晶素子のデータを変更するということは、例えば、教科書のようなテキスト表示を行う場合、ページを切り替えることとする。この場合、ディスプレイコントローラ１００５は反射型液晶素子の画像データ及び有機ＥＬ素子の画像データを更新する（２００８）。その後、ディスプレイコントローラ１００５はソースドライバ３５に画像データ（ｄａｔａ１（Ｌ）及びｄａｔａ１（Ｏ））を送信する（２０１０）。
【００９６】
一方、まず、反射型液晶素子のデータに変更が無い場合、アプリケーションプロセッサ１００３はタッチセンサ１００１よりデータを取得する（２００２）。ここで、ユーザは信号ｍｏｄｅ  ｃｏｎｔｒｏｌにより、描画モードを選択することができる。具体的には、アンダーラインや四角を図示するためのラインモード（２００３）と、マーカーを図示するためのマーカーモード（２００４）を選択することができる。
【００９７】
ラインモードの場合、タッチセンサ１００１のデータをもとに、アプリケーションプロセッサ１００３において、有機ＥＬ素子のデータ（ｄａｔａ０（Ｏ））が更新される（２００５）。具体的には、タッチした領域において、ライン表示を行った画像データがディスプレイコントローラ１００５に送信される。ここでは、反射型液晶素子のデータ（ｄａｔａ０（Ｌ））は更新されない。従って、アプリケーションプロセッサ１００３はｄａｔａ０（Ｌ）を送信しなくても良く、ディスプレイコントローラ１００５において、メモリ（Ｌ）１０１１に格納された画像データをもとに、表示領域１２の表示画像を生成することができる。データ処理回路は、受信する有機ＥＬ素子のデータ（ｄａｔａ０（Ｏ））が１の場合（２００７）、同領域の反射型液晶素子を黒表示に変更する（２００９）。これにより、有機ＥＬ素子の画素が発光する領域において、反射型液晶素子が混ざった表示になることを避けることができる。その後、データ処理回路を介して、ｄａｔａ１（Ｌ）及びｄａｔａ１（Ｏ）がソースドライバ３５に送信される（２０１０）。
【００９８】
マーカーモードの場合、タッチセンサ１００１のデータをもとに、アプリケーションプロセッサ１００３において、有機ＥＬ素子のデータ（ｄａｔａ０（Ｏ））が更新される（２００６）。具体的には、タッチした領域において、マーカー表示を行った画像データがディスプレイコントローラ１００５に送信される。このとき、初期の反射型液晶素子のデータにおいて、白表示だった領域のみ、有機ＥＬ素子のデータはマーカー表示（例えば赤色や黄色など）が行われ、初期の反射型液晶素子のデータにおいて、黒表示だった領域（例えば文字など）は、有機ＥＬ素子のデータはマーカー表示（例えば赤色や黄色など）が行われず黒表示となる。これにより、反射型液晶素子が黒で表示していた文字などの領域では。有機ＥＬ素子は発光せず、当該領域がマーカーにより塗りつぶされることはない。ここでは、反射型液晶素子のデータ（ｄａｔａ０（Ｌ））は更新されない。従って、アプリケーションプロセッサ１００３はｄａｔａ０（Ｌ）を送信しなくても良く、ディスプレイコントローラ１００５において、メモリ（Ｌ）１０１１に格納された画像データをもとに、表示領域１２の表示画像を生成することができる。データ処理回路は、受信する有機ＥＬ素子のデータ（ｄａｔａ０（Ｏ））が１の場合（２００７）、同領域の反射型液晶素子を黒表示に変更する（２００９）。これにより、有機ＥＬ素子の画素が発光する領域において、マーカーを引くことができる。尚、ここで反射型液晶素子表示は黒表示に限定されず、マーカーとして機能する範囲で調整することができる。その後、データ処理回路を介して、ｄａｔａ１（Ｌ）及びｄａｔａ１（Ｏ）がソースドライバ３５に送信される（２０１０）。
【００９９】
以上のようにして、表示領域１２に教科書を表示した場合、ラインやマーカーを引くことができる。
【０１００】
図１５に本発明のシステムを駆動する際のタイミングチャートを示す。尚、元画像とは、ラインやマーカーを引く前の未加工の画像を意味する。また、センサ情報とは、タッチセンサ１００１の出力を意味し、タッチが検出された際に変化することとする。
【０１０１】
時刻Ｔ０以前にて、元画像Ｂ０に対して、ラインやマーカーなどの加工が行われていたとする。ここでは、時刻Ｔ０以降を詳しく説明する。時刻Ｔ０にて、元画像がＢ０からＢ１に変更される。このとき、センサ情報をリセットしＳ０とする。
【０１０２】
時刻Ｔ１にて、次フレームに切り替わるとする。ｄａｔａ０（Ｏ）及びｄａｔａ０（Ｌ）には、Ｂ１に対応する画像データＯ０及びＬ０が与えられる。時刻Ｔ１からＴ２の間において、Ｏ０及びＬ０のデータはそれぞれメモリ（Ｏ）１０１３、メモリ（Ｌ）１０１１に格納される。
【０１０３】
時刻Ｔ２にて、次フレームに切り替わるとする。ｄａｔａ１（Ｏ）及びｄａｔａ１（Ｌ）からは、メモリ（Ｏ）１０１３及びメモリ（Ｌ）１０１１に格納したデータＯ０及びＬ０が出力される。また、時刻Ｔ２以降では、反射型液晶素子のデータはメモリ（Ｌ）１０１１に格納したデータを用いることができるため、アプリケーションプロセッサ１００３は、反射型液晶素子のデータを送信しない。また、時刻Ｔ２にて、タッチセンサ１００１にてタッチを検出し、センサ情報がＳ０からＳ１へと変化する。
【０１０４】
時刻Ｔ３にて、次フレームに切り替わるとする。時刻Ｔ２にてセンサ情報がＳ１に変化したことにより、有機ＥＬ素子の画像データｄａｔａ０（Ｏ）には当該変化に対応したデータ（Ｏ１）が与えられる。時刻Ｔ３からＴ４の間で、ディスプレイコントローラ１００５では、Ｏ１がメモリ（Ｏ）１０１３に格納され、また、反射型液晶素子のデータＬ１はＯ１を元に生成されメモリ（Ｌ）１０１１に格納される。具体的に、Ｌ１はＬ０とＯ１の合成画像であり、有機ＥＬ素子にて描画した領域に加工を行ったデータである。また、時刻Ｔ３にて、タッチセンサ１００１にてタッチを検出し、センサ情報がＳ１からＳ２へと変化する。
【０１０５】
時刻Ｔ４にて、次フレームに切り替わるとする。時刻Ｔ３にてセンサ情報がＳ２に変化したことにより、有機ＥＬ素子の画像データｄａｔａ０（Ｏ）には当該変化に対応したデータ（Ｏ２）が与えられる。ｄａｔａ１（Ｏ）及びｄａｔａ１（Ｌ）からは、メモリ（Ｏ）１０１３及びメモリ（Ｌ）１０１１に格納したデータＯ１及びＬ１が出力される。
【０１０６】
以上を繰り返すことにより、タッチセンサ１００１にて検出した変化を表示に反映させることができる。
【０１０７】
時刻Ｔ５にて元画像がＢ１からＢ２に変更される。このとき、センサ情報をリセットしＳ５とする。以降同様の処理が繰り返される。
【０１０８】
画素３１の回路構成例について、図１６の回路図を用いて説明を行う。
【０１０９】
図１６において、第１の表示素子１１０は、トランジスタＭ１と、容量素子Ｃ１と、液晶素子１８０と、を有する。また、液晶素子１８０の第１端子をノードＦＤ１と呼称する。
【０１１０】
トランジスタＭ１はスイッチとしての機能を有し、配線ＳＬとノードＦＤ１との導通状態を制御する機能を有する。配線ＧＬ＿Ｌに与えられる電位によってトランジスタＭ１のオン／オフが制御される。液晶素子１８０の第２端子は配線ＴＣＯＭに電気的に接続される。配線ＴＣＯＭはある一定の電位が与えられる。
【０１１１】
容量素子Ｃ１はノードＦＤ１に書き込まれた電荷を保持する機能を有する。
【０１１２】
配線ＳＬは信号線としての機能を有する。配線ＧＬ＿Ｌは走査線としての機能を有する。
【０１１３】
トランジスタＭ１がオンになると、配線ＳＬからノードＦＤ１へビデオデータ（アナログデータ）が書き込まれる。ノードＦＤ１へ書き込まれた電荷に応じて、液晶素子１８０の配向が変化し、液晶素子１８０の光の透過率が変化する。
【０１１４】
図１６において、第２の表示素子１３０は、トランジスタＭ２と、トランジスタＭ３と、トランジスタＭ４と容量素子Ｃ２と、発光素子１７０と、を有する。なお、トランジスタＭ３のゲートをノードＦＤ２と呼称する。
【０１１５】
トランジスタＭ２およびトランジスタＭ４はスイッチとしての機能を有する。トランジスタＭ２は配線ＳＬとノードＦＤ２との導通状態を制御する機能を有する。配線ＧＬ＿Ｅに与えられる電位によってトランジスタＭ２のオン／オフが制御される。トランジスタＭ４は配線ＶＲＥＳとノードＦＤ２との導通状態を制御する機能を有する。配線ＲＥＳに与えられる電位によってトランジスタＭ４のオン／オフが制御される。トランジスタＭ３のソースまたはドレインの一方は配線ＡＮＯに電気的に接続され、トランジスタＭ３のソースまたはドレインの他方は発光素子１７０の第１端子に電気的に接続される。発光素子１７０の第２端子は配線ＣＡＴＨに電気的に接続される。
【０１１６】
容量素子Ｃ２はノードＦＤ２に書き込まれた電荷を保持する機能を有する。
【０１１７】
配線ＲＥＳはノードＦＤ２を初期化するリセット信号が与えられる。トランジスタＭ４がオンになるとノードＦＤ２が初期化される。
【０１１８】
トランジスタＭ３は発光素子１７０の駆動トランジスタであり、ノードＦＤ２の電位に従って、発光素子１７０に流れる電流を制御する機能を有する。
【０１１９】
配線ＡＮＯは陽極としての機能を有し、配線ＣＡＴＨは陰極としての機能を有する。配線ＡＮＯは配線ＣＡＴＨよりも高電位が与えられることが好ましい。また、配線ＣＡＴＨは設置されていてもよい。
【０１２０】
配線ＳＬは信号線としての機能を有し、配線ＧＬ＿Ｅは走査線としての機能を有する。
【０１２１】
トランジスタＭ２がオンになると、配線ＳＬからノードＦＤ２へビデオデータ（アナログデータ）が書き込まれる。トランジスタＭ３は、ノードＦＤ２の電位に応じてドレイン電流を流す。発光素子１７０は、該ドレイン電流に応じて発光する。
【０１２２】
なお、図１６は、表示素子１３０の信号線と表示素子１１０の信号線を共通の信号線（配線ＳＬ）としているが、表示素子１３０と表示素子１１０は、それぞれ異なる信号線に接続されていてもよい。例えば、表示素子１１０の信号線として配線ＳＬ＿Ｌを設け、表示素子１３０の信号線として配線ＳＬ＿Ｅを設けてもよい  。このようにすることで、表示素子１１０および表示素子１３０にそれぞれ異なる信号を入力することができる。また、表示素子１１０および表示素子１３０に信号を入力するタイミングをそれぞれ独立して制御できる。よって、表示素子１１０および表示素子１３０に入力される信号が同じであるか異なるかに関わらず、表示素子１１０および表示素子１３０に対して同じタイミングまたは異なるタイミングで信号を入力することが可能となる。
【０１２３】
図１６のタッチセンサ１５０は、トランジスタＭ６と、トランジスタＭ７と、トランジスタＭ８と、トランジスタＭ９と、容量素子Ｃ３と、フォトダイオード１９０とを有する。なお、トランジスタＭ７のゲートをノードＦＤ３と呼称する。
【０１２４】
トランジスタＭ６、トランジスタＭ８およびトランジスタＭ９はスイッチとしての機能を有する。トランジスタＭ６はフォトダイオード１９０の第１端子とノードＦＤ３との導通状態を制御する機能を有する。トランジスタＭ６は配線ＴＸに与えられる電位によってオン／オフが制御される。トランジスタＭ８はトランジスタＭ７のソースまたはドレインの一方と配線ＰＯＵＴとの導通状態を制御する機能を有する。トランジスタＭ８は配線ＳＥに与えられる電位によってオン／オフが制御される。トランジスタＭ９は配線ＶＲＳとノードＦＤ３との導通状態を制御する機能を有する。トランジスタＭ９は配線ＲＳに与えられる電位によってオン／オフが制御される。フォトダイオード１９０の第２端子は配線ＶＰＤに電気的に接続される。トランジスタＭ７のソースまたはドレインの他方は配線ＰＣ１に電気的に接続される。
【０１２５】
容量素子Ｃ３はノードＦＤ３の電位を保持する機能を有する。
【０１２６】
フォトダイオード１９０は、照射される光の量に応じて光電流を流す機能を有する。トランジスタＭ６がオンの場合、フォトダイオード１９０を流れる光電流に応じて、ノードＦＤ３の電位が変化する。
【０１２７】
トランジスタＭ７は、ノードＦＤ３に与えられたデータを増幅する機能を有する。トランジスタＭ７はノードＦＤ３の電位に応じてドレイン電流が決定される（チャネルの抵抗値が決定される）。
【０１２８】
配線ＳＥは走査線としての機能を有し、配線ＰＯＵＴは信号線としての機能を有する。トランジスタＭ８がオンになると、配線ＰＣ１と配線ＰＯＵＴとの間に電流が流れ、配線ＰＯＵＴの電位が変化する。すなわち、配線ＰＯＵＴの電位はノードＦＤ３の電位に応じて変化する。
【０１２９】
配線ＶＲＳは電源線としての機能を有し、高電源電位または低電源電位の一方が与えられる。同様に、配線ＶＰＤは電源線としての機能を有し、高電源電位または低電源電位の他方が与えられる。
【０１３０】
配線ＲＳはノードＦＤ３を初期化するリセット信号が与えられる。トランジスタＭ９がオンになると、ノードＦＤ３が初期化される。
【０１３１】
次に、フォトダイオード１９０とその周辺のトランジスタの動作について、説明を行う。なお、以下において、配線ＶＲＳには高電源電位（Ｈレベル）が与えられ、配線ＶＰＤには低電源電位（Ｌレベル）が与えられているとして説明を行う。
【０１３２】
まず、トランジスタＭ９をオンにし、初期化動作を行う。ノードＦＤ３にＨレベルの電位が書き込まれる。
【０１３３】
次に、トランジスタＭ６をオンにする。このとき、フォトダイオード１９０に光が照射されていると、照射される光の量に応じて光電流が発生する。光電流は、ノードＦＤ３から、トランジスタＭ６およびフォトダイオード１９０を介して、配線ＶＰＤへ流れる。ノードＦＤ３の電位は、光電流の量に応じて低下する。
【０１３４】
次に、トランジスタＭ６をオフにし、ノードＦＤ３の電位低下を止める。最終的にノードＦＤ３の電位は、Ｈレベル（配線ＶＲＳの電位）とＬレベル（配線ＶＰＤの電位）の間の電位を示す。
【０１３５】
例えば、タッチセンサ１５０に指や、スタイラスなどのタッチペンがタッチしている場合、フォトダイオード１９０は光が遮蔽された状態にある。このような状態でフォトダイオード１９０の光電流は流れないため、上述のノードＦＤ３の電位低下は発生せず、ノードＦＤ３の電位はＨレベルに保持される。
【０１３６】
図１７は表示領域１２に設けられた画素３１を表すブロック図である。図１７の表示領域１２は、ｍ行ｎ列（ｍは２以上の整数、ｎは３以上の整数で且つ３の倍数）のマトリクス状に配置された画素３１を有する。
【０１３７】
縦に並んだ画素３１［１、ｊ］乃至画素３１［ｍ、ｊ］（ｊは３以上ｎ以下の整数で且つ３の倍数）は、配線ＳＬ［ｊ］および配線ＰＯＵＴ［ｊ］を共有している。同様に、縦に並んだ画素３１［１、ｊ−１］乃至画素３１［ｍ、ｊ−１］は、配線ＳＬ［ｊ−１］および配線ＰＯＵＴ［ｊ−１］を共有している。同様に、縦に並んだ画素３１［１、ｊ−２］乃至画素３１［ｍ、ｊ−２］は、配線ＳＬ［ｊ−２］および配線ＰＯＵＴ［ｊ−２］を共有している。
【０１３８】
横に並んだ画素３１［ｉ、１］乃至画素３１［ｉ、ｎ］（ｉは１以上ｍ以下の整数）は、配線ＳＥ［ｉ］、配線ＧＬ＿Ｌ［ｉ］および配線ＧＬ＿Ｅ［ｉ］を共有している。
【０１３９】
次に、表示領域１２とその周辺回路について図１８を用いて説明を行う。
【０１４０】
図１８は、表示領域１２と、マルチプレクサ１６１と、Ａ／Ｄコンバータ１６２と、を示している。
【０１４１】
マルチプレクサ１６１は、配線ＰＯＵＴ［１］乃至配線ＰＯＵＴ［ｎ］のから１つの配線を選択し、配線ＯＵＴに信号を出力する機能を有する。
【０１４２】
マルチプレクサ１６１は、トランジスタＭ１１［１］乃至トランジスタＭ１１［ｎ］と、トランジスタＭ１２を有する。配線ＳＥＣに選択信号が入力されると、トランジスタＭ１１［１］乃至トランジスタＭ１１［ｎ］のうち何れか１つが選択され、オンになる。そして配線ＯＵＴに信号が出力される。
【０１４３】
トランジスタＭ１２のゲートには配線ＢＩＡＳが接続しており、配線ＢＩＡＳの電位に従い、トランジスタＭ１２のドレイン電流は変化する。トランジスタＭ１２は電流源としての機能を有し、それぞれの画素３１におけるトランジスタＭ７との抵抗分割にて、配線ＯＵＴに出力される電位が決定する。
【０１４４】
配線ＯＵＴに出力された信号はＡ／Ｄコンバータ１６２を介してデジタル信号に変換される。
【０１４５】
図１９に、第１の表示素子１１０と第２の表示素子１３０へのデータ書込みのタイミングチャートを示す。
【０１４６】
図１９（Ａ）は、まず第１の表示素子１１０のゲート線を選択し、特定のアナログデータを書込み、その後、第２の表示素子１３０のゲート線を選択する場合のタイミングチャートである。
【０１４７】
時刻Ｔ０にて、ＧＬ＿Ｌ［ｉ］がハイレベルとなり、画素［ｉ，１］、画素［ｉ，２］乃至画素［ｉ，ｎ］のトランジスタＭ１が導通し、ソース線ＳＬより特定のアナログデータが書き込まれる。
【０１４８】
時刻Ｔ１にて、ＧＬ＿Ｌ［ｉ＋１］がハイレベルとなり、画素［ｉ＋１，１］、画素［ｉ＋１，２］乃至画素［ｉ＋１，ｎ］のトランジスタＭ１が導通し、ソース線ＳＬより特定のアナログデータが書き込まれる。
【０１４９】
時刻Ｔ２にて、ＧＬ＿Ｅ［ｉ］がハイレベルとなり、画素［ｉ，１］、画素［ｉ，２］乃至画素［ｉ，ｎ］のトランジスタＭ２が導通し、ソース線ＳＬより特定のアナログデータが書き込まれる。
【０１５０】
以上のようにして、まず、第１の表示素子１１０へのデータ書込みを行い、その後、第２の表示素子１３０へのデータ書込みを行うことができる。
【０１５１】
図１９（Ｂ）は、第１の表示素子１１０のゲート線と第２の表示素子１３０のゲート線を交互に選択する場合のタイミングチャートである。
【０１５２】
時刻Ｔ０にて、ＧＬ＿Ｌ［ｉ］がハイレベルとなり、画素［ｉ，１］、画素［ｉ，２］乃至画素［ｉ，ｎ］のトランジスタＭ１が導通し、ソース線ＳＬより特定のアナログデータが書き込まれる。
【０１５３】
時刻Ｔ１にて、ＧＬ＿Ｅ［ｉ］がハイレベルとなり、画素［ｉ，１］、画素［ｉ，２］乃至画素［ｉ，ｎ］のトランジスタＭ２が導通し、ソース線ＳＬより特定のアナログデータが書き込まれる。
【０１５４】
時刻Ｔ２にて、ＧＬ＿Ｌ［ｉ＋１］がハイレベルとなり、画素［ｉ＋１，１］、画素［ｉ＋１，２］乃至画素［ｉ＋１，ｎ］のトランジスタＭ１が導通し、ソース線ＳＬより特定のアナログデータが書き込まれる。
【０１５５】
以上のようにして、第１の表示素子１１０のゲート線と第２の表示素子１３０のゲート線を交互に選択しデータ書込みを行うことができる。
【０１５６】
次に、情報端末１０の動作の詳細について、図２０のタイミングチャートを用いて説明を行う。なお、図２９のタイミングチャートは、画素３１［ｉ、ｊ］のタッチセンサ１５０がタッチを検出し、画素３１［ｉ、ｊ］の第２の表示素子１３０にタッチの結果が表示される例を示す。図２０において、動作のタイミングを示すために、時刻Ｔ０乃至時刻Ｔ４を付した。
【０１５７】
配線ＰＣ１および配線ＰＣ２にはそれぞれ一定の電位が与えられる。また配線ＰＣ２は配線ＰＣ１よりも高電位が与えられることが好ましい。
【０１５８】
まず、時刻Ｔ０において、配線ＲＳの電位がＨレベルとなり、ノードＦＤ３の電位はＨレベルに初期化される。
【０１５９】
時刻Ｔ１において、配線ＴＸの電位がＨレベルとなることで、トランジスタＭ６がオンになり、フォトダイオード１９０の受光量に応じて、ノードＦＤ３の電位が変動する。ここでは、画素３１［ｉ、ｊ］がタッチされた場合を想定しているため、ノードＦＤ３［ｉ、ｊ］の電位はＨレベルのままとなり、ノードＦＤ３［ｉ、ｊ−１］およびノードＦＤ３［ｉ、ｊ−２］など、その他の画素のノードＦＤ３の電位は時間とともに低下する。
【０１６０】
時刻Ｔ２において、配線ＴＸの電位がＬレベルになることで、露光期間が終了し、ノードＦＤ３［ｉ、ｊ−１］およびノードＦＤ３［ｉ、ｊ−２］の電位低下は止まる。ノードＦＤ３［ｉ、ｊ−１］およびノードＦＤ３［ｉ、ｊ−２］はＬレベルの電位となる。
【０１６１】
時刻Ｔ２から時刻Ｔ３の間に、配線ＳＥ［ｉ］にＨレベルの電位が与えられ、対応する画素３１のトランジスタＭ８はオンになる。配線ＰＯＵＴ［ｊ］、ＰＯＵＴ［ｊ−１］、ＰＯＵＴ［ｊ−２］の電位は、それぞれノードＦＤ３の電位に対応した電位になる。
【０１６２】
時刻Ｔ３から時刻Ｔ４の間に、配線ＳＥＣ［ｊ］、ＳＥＣ［ｊ−１］、ＳＥＣ［ｊ−２］が順次にＨレベルとなり、配線ＰＯＵＴ［ｊ］、ＯＵＴ［ｊ−１］、ＯＵＴ［ｊ−２］の電位が配線ＯＵＴから  、順次に出力される。配線ＯＵＴより出力されたアナログ信号は、Ａ／Ｄコンバータ１６２を介して、デジタル信号に変換される。
【０１６３】
以上のように駆動することで、タッチセンサはタッチの有無を検出することが出来る。
【０１６４】
尚、タッチセンサを駆動するタイミングは、表示の駆動における帰線期間などに行なうことが好ましいが、これに限定されない。
【０１６５】
《表示パネルの断面図》＜表示装置の構成例１＞
次に、情報端末１０の構成例に関して、図２１を用いて説明を行う。図２１は、表示素子として有機ＥＬ素子と反射型液晶素子を一体化したハイブリッドディスプレイの例を示す断面模式図である。ＥＬを用いた発光素子（Ｅｍｉｓｓｉｏｎ）と反射型液晶素子（Ｒｅｆｌｅｃｔｉｏｎ）を一体化した表示装置は、ＥＲ−Ｈｙｂｒｉｄディスプレイと呼ぶことができる。
【０１６６】
図２１は、図３（Ａ）に示す表示パネル３０の断面図を示している。
【０１６７】
図２１に示す表示パネル３０は、基板３５１と基板３６１の間に、絶縁層２２０を有する。また基板３５１と絶縁層２２０の間に、発光素子１７０、フォトダイオード１９０、トランジスタ２０１、トランジスタ２０５、トランジスタ２０６、着色層１３４等を有する。また絶縁層２２０と基板３６１の間に、液晶素子１８０、着色層１３１等を有する。また基板３６１と絶縁層２２０は接着層１４１を介して接着され、基板３５１と絶縁層２２０は接着層１４２を介して接着されている。
【０１６８】
トランジスタ２０６は、液晶素子１８０と電気的に接続し、トランジスタ２０５は、発光素子１７０と電気的に接続する。トランジスタ２０５とトランジスタ２０６は、いずれも絶縁層２２０の基板３５１側の面上に形成されているため、これらを同一の工程を用いて作製することができる。
【０１６９】
基板３６１には、着色層１３１、遮光層１３２、絶縁層１２１、及び液晶素子１８０の共通電極として機能する導電層１１３、配向膜１３３ｂ、絶縁層１１７等が設けられている。絶縁層１１７は、液晶素子１８０のセルギャップを保持するためのスペーサーとして機能する。
【０１７０】
絶縁層２２０の基板３５１側には、絶縁層２１１、絶縁層２１２、絶縁層２１３、絶縁層２１４、絶縁層２１５等の絶縁層が設けられている。絶縁層２１１は、その一部が各トランジスタのゲート絶縁層として機能する。絶縁層２１２、絶縁層２１３、及び絶縁層２１４は、各トランジスタを覆って設けられている。また絶縁層２１４を覆って絶縁層２１５が設けられている。絶縁層２１４及び絶縁層２１５は、平坦化層としての機能を有する。なお、ここではトランジスタ等を覆う絶縁層として、絶縁層２１２、絶縁層２１３、絶縁層２１４の３層を有する場合について示しているが、これに限られず４層以上であってもよいし、単層、または２層であってもよい。また平坦化層として機能する絶縁層２１４は、不要であれば設けなくてもよい。
【０１７１】
また、トランジスタ２０１、トランジスタ２０５、及びトランジスタ２０６は、一部がゲートとして機能する導電層２２１、一部がソースまたはドレインとして機能する導電層２２２ａ、半導体層２３１を有する。ここでは、同一の導電膜を加工して得られる複数の層に、同じハッチングパターンを付している。
【０１７２】
液晶素子１８０は反射型の液晶素子である。液晶素子１８０は、導電層３１１ａ、液晶１１２、導電層１１３が積層された積層構造を有する。また導電層３１１ａの基板３５１側に接して、可視光を反射する導電層３１１ｂが設けられている。導電層３１１ｂは開口４５１を有する。また導電層３１１ａ及び導電層１１３は可視光を透過する。また液晶１１２と導電層３１１ａの間に配向膜１３３ａが設けられ、液晶１１２と導電層１１３の間に配向膜１３３ｂが設けられている。また、基板３６１の外側の面には、偏光板１３５を有する。
【０１７３】
液晶素子１８０において、導電層３１１ｂは可視光を反射する機能を有し、導電層１１３は可視光を透過する機能を有する。基板３６１側から入射した光は、偏光板１３５により偏光され、導電層１１３、液晶１１２を透過し、導電層３１１ｂで反射する。そして液晶１１２及び導電層１１３を再度透過して、偏光板１３５に達する。このとき、導電層３１１ｂと導電層１１３の間に与える電圧によって液晶の配向を制御し、光の光学変調を制御することができる。すなわち、偏光板１３５を介して射出される光の強度を制御することができる。また光は着色層１３１によって特定の波長領域以外の光が吸収されることにより、取り出される光は、例えば赤色を呈する光となる。
【０１７４】
発光素子１７０は、ボトムエミッション型の発光素子である。発光素子１７０は、絶縁層２２０側から導電層１９１、ＥＬ層１９２、及び導電層１９３ｂの順に積層された積層構造を有する。絶縁層２１６が導電層１９１の端部を覆っている。また導電層１９３ｂを覆って導電層１９３ａが設けられている。導電層１９３ｂは可視光を反射する材料を含み、導電層１９１及び導電層１９３ａは可視光を透過する材料を含む。発光素子１７０が発する光は、着色層１３４、絶縁層２２０、開口４５１、導電層１１３等を介して、基板３６１側に射出される。
【０１７５】
ここで、図２１に示すように、開口４５１には可視光を透過する導電層３１１ａが設けられていることが好ましい。これにより、開口４５１と重なる領域においてもそれ以外の領域と同様に液晶１１２が配向するため、これらの領域の境界部で液晶の配向不良が生じ、意図しない光が漏れてしまうことを抑制できる。
【０１７６】
ここで、基板３６１の外側の面に配置する偏光板１３５として直線偏光板を用いてもよいが、円偏光板を用いることもできる。円偏光板としては、例えば直線偏光板と１／４波長位相差板を積層したものを用いることができる。これにより、外光反射を抑制することができる。また、偏光板の種類に応じて、液晶素子１８０に用いる液晶素子のセルギャップ、配向、駆動電圧等を調整することで、所望のコントラストが実現されるようにすればよい。
【０１７７】
トランジスタ２０５のソースまたはドレインの一方は、導電層２２４ａを介して発光素子１７０の導電層１９１と電気的に接続されている。
【０１７８】
トランジスタ２０６のソースまたはドレインの一方は、接続部２０７を介して導電層３１１ｂと電気的に接続されている。導電層３１１ｂと導電層３１１ａは接して設けられ、これらは電気的に接続されている。ここで、接続部２０７は、絶縁層２２０に設けられた開口を介して、絶縁層２２０の両面に設けられる導電層同士を接続する部分である。
【０１７９】
フォトダイオード１９０は、ｐ型の半導体層と、ｉ型の半導体層と、ｎ型の半導体層と、を積層して有している。導電層２２２ｂ及び導電層２２４ｂのうち一方はｐ型の半導体層に接続され、他方はｎ型の半導体層に接続される。フォトダイオード１９０は、着色層１３１、遮光層１３２、及び可視光を反射する導電層３１１ｂのいずれとも重ならない部分を有する。当該部分からフォトダイオード１９０に外光が入射される。導電層２２４ｂは、フォトダイオード１９０を透過した光を反射する機能を有する。
【０１８０】
フォトダイオード１９０には、単結晶基板にｐｎ型やｐｉｎ型の接合が形成されたダイオード素子を用いてもよい。または非晶質シリコン膜や微結晶シリコン膜などを用いたｐｉｎ型ダイオード素子などを用いてもよい。なお、上記においては、フォトダイオードを有する構成を例示したが、他の光電変換素子であってもよい。例えば、ダイオード接続のトランジスタを用いてもよい。また、光電効果を利用した可変抵抗などをシリコン、ゲルマニウム、セレンなどを用いて形成してもよい。また、アバランシェ増倍を利用したセレンを用いたフォトダイオードを用いてもよい。当該フォトダイオードでは、入射する光量に対する電子の増幅が大きい高感度の受光素子とすることができる。
【０１８１】
基板３５１の基板３６１と重ならない領域には、接続部２０４が設けられている。接続部２０４は、接続層２４２を介してＦＰＣ３７２と電気的に接続されている。接続部２０４は接続部２０７と同様の構成を有している。接続部２０４の上面は、導電層３１１ａと同一の導電膜を加工して得られた導電層が露出している。これにより、接続部２０４とＦＰＣ３７２とを接続層２４２を介して電気的に接続することができる。
【０１８２】
接着層１４１が設けられる一部の領域には、接続部２５２が設けられている。接続部２５２において、導電層３１１ａと同一の導電膜を加工して得られた導電層と、導電層１１３の一部が、接続体２４３により電気的に接続されている。したがって、基板３６１側に形成された導電層１１３に、基板３５１側に接続されたＦＰＣ３７２から入力される信号または電位を、接続部２５２を介して供給することができる。
【０１８３】
接続体２４３としては、例えば導電性の粒子を用いることができる。導電性の粒子としては、有機樹脂またはシリカなどの粒子の表面を金属材料で被覆したものを用いることができる。金属材料としてニッケルや金を用いると接触抵抗を低減できるため好ましい。またニッケルをさらに金で被覆するなど、２種類以上の金属材料を層状に被覆させた粒子を用いることが好ましい。また接続体２４３として、弾性変形、または塑性変形する材料を用いることが好ましい。このとき導電性の粒子である接続体２４３は、図９に示すように上下方向に潰れた形状となる場合がある。こうすることで、接続体２４３と、これと電気的に接続する導電層との接触面積が増大し、接触抵抗を低減できるほか、接続不良などの不具合の発生を抑制することができる。
【０１８４】
接続体２４３は、接着層１４１に覆われるように配置することが好ましい。例えば接着層１４１となるペースト等を塗布した後に、接続体２４３を配置すればよい。
【０１８５】
図２１では、ゲートドライバ３４の例としてトランジスタ２０１が設けられている例を示している。
【０１８６】
図２１では、トランジスタ２０１及びトランジスタ２０５の例として、チャネルが形成される半導体層２３１を２つのゲートで挟持する構成が適用されている。一方のゲートは導電層２２１により、他方のゲートは絶縁層２１２を介して半導体層２３１と重なる導電層２２３により構成されている。このような構成とすることで、トランジスタの閾値電圧を制御することができる。このとき、２つのゲートを接続し、これらに同一の信号を供給することによりトランジスタを駆動してもよい。このようなトランジスタは他のトランジスタと比較して電界効果移動度を高めることが可能であり、オン電流を増大させることができる。その結果、高速駆動が可能な回路を作製することができる。さらには、回路部の占有面積を縮小することが可能となる。オン電流の大きなトランジスタを適用することで、表示パネルを大型化、または高精細化したときに配線数が増大したとしても、各配線における信号遅延を低減することが可能であり、表示ムラを抑制することができる。
【０１８７】
トランジスタ２０１、２０５、２０６はＯＳトランジスタであることが好ましい。そのため、半導体層２３１は酸化物半導体を用いることが好ましい。半導体層２３１に用いることが可能な酸化物半導体は、Ｉｎ−Ｇａ酸化物、Ｉｎ−Ｚｎ酸化物、Ｉｎ−Ｍ−Ｚｎ酸化物（Ｍは、Ｔｉ、Ｇａ、Ｙ、Ｚｒ、Ｌａ、Ｃｅ、Ｎｄ、ＳｎまたはＨｆ）などが挙げられる。また、上記酸化物半導体は、Ｉｎを含む酸化物に限定されない。例えば、Ｚｎ酸化物、Ｚｎ−Ｓｎ酸化物、Ｇａ−Ｓｎ酸化物であっても構わない。
【０１８８】
なお、ゲートドライバ３４が有するトランジスタと、画素３１が有するトランジスタは、同じ構造であってもよい。またゲートドライバ３４が有する複数のトランジスタは、全て同じ構造であってもよいし、異なる構造のトランジスタを組み合わせて用いてもよい。また、画素３１が有する複数のトランジスタは、全て同じ構造であってもよいし、異なる構造のトランジスタを組み合わせて用いてもよい。
【０１８９】
各トランジスタを覆う絶縁層２１２、絶縁層２１３のうち少なくとも一方は、水や水素などの不純物が拡散しにくい材料を用いることが好ましい。すなわち、絶縁層２１２または絶縁層２１３はバリア膜として機能させることができる。このような構成とすることで、トランジスタに対して外部から不純物が拡散することを効果的に抑制することが可能となり、信頼性の高い表示パネルを実現できる。
【０１９０】
基板３６１側において、着色層１３１、遮光層１３２を覆って絶縁層１２１が設けられている。絶縁層１２１は、平坦化層としての機能を有していていもよい。絶縁層１２１により、導電層１１３の表面を概略平坦にできるため、液晶１１２の配向状態を均一にできる。
【０１９１】
表示パネル３０を作製する方法の一例について説明する。例えば剥離層を有する支持基板上に、導電層３１１ａ、導電層３１１ｂ、絶縁層２２０を順に形成し、その後、トランジスタ２０５、トランジスタ２０６、発光素子１７０、フォトダイオード１９０等を形成した後、接着層１４２を用いて基板３５１と支持基板を貼り合せる。その後、剥離層と絶縁層２２０、及び剥離層と導電層３１１ａのそれぞれの界面で剥離することにより、支持基板及び剥離層を除去する。またこれとは別に、着色層１３１、遮光層１３２、導電層１１３等をあらかじめ形成した基板３６１を準備する。そして基板３５１または基板３６１に液晶１１２を滴下し、接着層１４１により基板３５１と基板３６１を貼り合せることで、表示パネル３０を作製することができる。
【０１９２】
剥離層としては、絶縁層２２０及び導電層３１１ａとの界面で剥離が生じる材料を適宜選択することができる。特に、剥離層としてタングステンなどの高融点金属材料を含む層と当該金属材料の酸化物を含む層を積層して用い、剥離層上の絶縁層２２０として、窒化シリコンや酸化窒化シリコン、窒化酸化シリコン等を複数積層した層を用いることが好ましい。剥離層に高融点金属材料を用いると、これよりも後に形成する層の形成温度を高めることが可能で、不純物の濃度が低減され、信頼性の高い表示装置を実現できる。
【０１９３】
導電層３１１ａとしては、金属酸化物、金属窒化物、または低抵抗化された酸化物半導体等の酸化物または窒化物を用いることが好ましい。酸化物半導体を用いる場合には、水素、ボロン、リン、窒素、及びその他の不純物の濃度、並びに酸素欠損量の少なくとも一が、トランジスタに用いる半導体層に比べて高められた材料を、導電層３１１ａに用いればよい。
【０１９４】
以上、本実施の形態に記載の情報端末１０を用いることで、消費電力の小さい情報端末を提供することができる。また、視認性の優れた情報端末を提供することができる。また、新規な情報端末を提供することができる。
【０１９５】
（実施の形態２）
本実施の形態では、実施の形態１で示した表示パネル３０と異なる表示パネルの例を図２２乃至図２５に示す。
【０１９６】
＜表示装置の構成例２＞
図２２は、有機ＥＬ素子と反射型液晶素子を一体化したＥＲ−Ｈｙｂｒｉｄディスプレイの異なる構成例を示す断面模式図である。
【０１９７】
表示装置４５０は、導電体４６７を介してトランジスタ３０５と電気的に接続された発光素子４５２、トランジスタ３７５と電気的に接続された液晶素子４５３を有している。
【０１９８】
トランジスタ３０５およびトランジスタ３７５は、同一工程で形成され、第１のゲート電極６０１、絶縁層６０３、半導体６０５、ソース電極またはドレイン電極として機能する導電体６０７、絶縁層６０９、および第２のゲート電極６１１を有する。
【０１９９】
発光素子４５２は、第１の電極４６１、ＥＬ層６１３、および第２の電極６１５を有する。
【０２００】
また、表示装置４５０は、基体４５５、基体４５７、封止材４５９、発光素子４５２の第１の電極４６１と絶縁膜４６３の間に設けられた光透過媒体４６５、絶縁膜４６３と絶縁膜４６９の間に設けられた反射体４７１、容量線として機能する導電体４７３、液晶素子４５３の一方の電極４７５、液晶素子４５３の他方の電極４８９、絶縁膜４７７、配向膜４７９、配向膜４８１、シール材４８３、液晶４８５、スペーサー４８７、絶縁膜４９１、着色層４９３、絶縁膜４９５、拡散フィルム４９７、タッチパネル４９９、開口部５０５が設けられた偏光板５０３を有する。また、矢印５０７はＥＬ層からの発光を示し、矢印５０９は外光および電極４７５での反射光を示す。
【０２０１】
このような表示装置を作製するには、トランジスタ３０５、トランジスタ３７５、発光素子４５２等を含む層５１１、液晶素子４５３、着色層４９３等を含む層５１３、タッチパネル４９９をそれぞれ異なる基体上に作成し、これらの素子や層を基体から剥離し、基体４５５や基体４５７に張り合わせ（転置）すればよい。このように素子や層を第１の基体から剥離し、第２の基体に転置する工程を、剥離転置プロセスと呼ぶことがある。
【０２０２】
剥離転置プロセスで用いることができる第１の基体には、一般的な半導体製造装置やディスプレイ製造装置で処理可能な基体を用いることができ、例えばガラス基板、半導体基板、金属基板等を用いることができる。第１の基体上に剥離層を設け、その上に所望の素子や層を形成する。その後、第１の基体と剥離層との界面、剥離層内、あるいは剥離層と素子や層との界面で剥離を行い、第２の基体に転置する。
【０２０３】
剥離転置プロセスで用いることができる第２の基体としては、フィルムやプラスチック、あるいは、可とう性を有する程度に薄く形成されたガラス基板等の可とう性基板を用いることができる。例えば、０．１ｍｍ以上０．５ｍｍ以下、好ましくは０．２ｍｍ以上０．４ｍｍ以下の膜厚を有するガラス基板は可とう性を有する。上記のような可とう性を有する基板は、曲げることができるだけでなく、軽いことも特徴の一つである。基体が軽いと表示装置を軽くでき、表示装置を有する電子機器を軽くすることができる。軽量化された電子機器は、落下等の衝撃を受けても壊れにくい。さらに基体にフィルムやプラスチックを用いることで表示部の破損が起こりにくい効果もある。
【０２０４】
剥離層としては、金属やポリイミドを用いることができる。特に、酸化により体積変化が起こる、あるいは物理的強度が変化する金属材料を用いることが好ましい。このような金属材料として、タングステンやモリブデンがあげられる。金属からなる剥離層を用いる場合、剥離層上に素子や層を形成した後、熱処理を行うことで素子や層を剥離することができる。これは、熱処理により金属が酸化することで体積が増加する、あるいは物理的強度が弱くなることで剥離が起こると考えられる。また、ポリイミドからなる剥離層を用いる場合、剥離層上に素子や層を形成した後、第１の基体の裏面からレーザを照射することで素子や層を剥離することができる。これはレーザ照射により、ポリイミド膜中の水分が蒸発し、第１の基体から素子や層が剥離される、あるいは剥離されやすくなると考えられる。また、第１の基体上に金属酸化膜を設け、金属酸化膜上にポリイミドを形成して剥離層としてもよい。この場合、金属酸化膜とポリイミドの密着性が弱いため、レーザ照射を行わなくても金属酸化膜とポリイミドの界面で剥離が可能となる。金属酸化膜としては酸化チタン、インジウム錫酸化物（ＩＴＯ）、シリコンを含有するＩＴＯ等を用いることができる。
【０２０５】
また、剥離を行う際には素子や層に第２の基体を張り付けてから素子や層と第２の基体を第１の基体から剥離することが好ましい。
【０２０６】
光透過媒体４６５は発光素子４５２から発せられた光を集光するレンズの機能を有する。光透過媒体４６５には、屈折率が１．５以上、好ましくは２．０以上の光を透過する物質を用いることが好ましい。例えば、インジウム錫酸化物や、インジウム、ガリウム、および亜鉛を含む酸化物などの金属酸化物、あるいはポリイミドやアクリル等の樹脂を用いることができる。発光素子４５２から発せられた光は、光透過媒体４６５および反射体４７１により集光され、絶縁膜４６３、スペーサー４８７等を透過して、基体４５７側に放射される。
【０２０７】
液晶素子４５３は、反射型の液晶素子を用いる。液晶素子４５３の一方の電極４７５は反射電極であり、アルミニウムや銀等を含む材料を用いる。電極４７５は絶縁膜４７４および絶縁膜４７６に設けられた開口部を介して、トランジスタ３７５のソースまたはドレインの一方と電気的に接続する。本実施の形態では、電極４７５とトランジスタ３７５のソースまたはドレインの一方との接続をゲート電極と同じ材料からなる電極を介して接続する例を示しているが、これに限らない。良好な接続が行われるならば、電極を設けなくてもよい。また、液晶素子４５３の他方の電極４８９には光を透過する材料を用いる。電極４８９には、インジウム錫酸化物（ＩＴＯ）やシリコンを含むＩＴＯ等を用いることができる。
【０２０８】
絶縁膜４６９、絶縁膜４７０、絶縁膜４７７、および絶縁膜４９１には、窒化シリコンや窒化酸化シリコン等、窒素を含むシリコン膜を用いることが好ましい。窒素を含むシリコン膜を用いることで、表示装置４５０の外部からの水分、表示装置に用いられる絶縁膜等の構成要素に含まれる水分が発光素子４５２、液晶素子４５３、トランジスタ３０５、およびトランジスタ３７５に拡散せず、表示装置の動作が安定し、信頼性が向上する。
【０２０９】
スペーサー４８７は、液晶４８５の厚さを制御するために設けられるが、本実施の形態では、発光素子４５２から発せられた光の経路上に設けるのが好ましい。これにより、発光素子４５２から発せられた光が液晶４８５により遮られることがなく、輝度の低下を防ぐことができる。
【０２１０】
偏光板５０３には開口部５０５が設けられる。開口部はポリイミドやアクリル等の透光性の樹脂が設けられている。偏光板５０３を加工し、開口部５０５を形成してから透光性の樹脂を充填しても良いし、開口部５０５の形状を有する透光性の樹脂を形成してから、その周辺に偏光板５０３を設けても良い。開口部５０５は発光素子４５２から発せられた光の経路上に設けられる。
【０２１１】
このように発光素子４５２と反射型液晶素子である液晶素子４５３を一体化することで、視認性の向上した表示装置を提供することができる。また、一方の表示素子に反射型液晶素子を用いているため表示装置はバックライトが不要で、消費電力を削減できる。
【０２１２】
上記の説明は、本実施の形態の他の例や、以降の実施の形態においても適用できる。
【０２１３】
＜表示装置の構成例３＞
図２３は、有機ＥＬ素子と反射型液晶素子を一体化したＥＲ−Ｈｙｂｒｉｄディスプレイの異なる構成例を示す断面模式図である。
【０２１４】
表示装置５１５は、ＥＬ素子部５１７と液晶素子部５１９を張り合わせることで構成されている。さらに液晶素子部５１９にタッチパネル４９９が張り合わされている。表示装置５１５も上述した剥離転置プロセスを用いることができる。
【０２１５】
トランジスタ３４３は、第１のゲート電極６１７、絶縁層６１９、チャネル領域６２１と低抵抗領域６２３を有する半導体６２５、絶縁膜６２７、および第２のゲート電極として機能する導電体６２９を有する。また、低抵抗領域６２３、絶縁膜６２７、および導電体６２９で容量を構成してもよい。
【０２１６】
ＥＬ素子部５１７と液晶素子部５１９の間には接着層５２１が設けられているが、本実施の形態はこれに限らない。封止材３１１などが接着層５２１の機能を有するならば、接着層５２１は設けなくても良い。発光素子３０９から発せられた光は、光透過媒体４６５および反射体４７１により集光され、絶縁膜４６３、スペーサー４８７、偏光板５０３に設けられた開口部５０５等を通って、基体４５７側から取り出される。
【０２１７】
このように発光素子４５２と反射型液晶素子である液晶素子４５３を組み合わせた表示装置は、周囲の明るさや外光の強さによらず、良好な表示品質を有する。発光素子４５２を用いた表示は、周囲が暗い環境においても鮮明な表示が可能となる。一方、周囲が明るく、表示に外光が利用できる場合は反射型液晶素子を用いることで鮮明な表示が可能となる。さらに、反射型液晶表示装置はバックライトが不要で、消費電力を削減できる。
【０２１８】
上記の説明は、本実施の形態の他の例や、以降の実施の形態においても適用できる。
＜表示装置の構成例４＞
【０２１９】
図２４は、表示素子として透過型液晶素子と反射型液晶素子を組み合わせた表示装置５２５の例を示す断面模式図である。透過型液晶素子（Ｔｒａｎｓｍｉｓｓｉｏｎ）と反射型液晶素子（Ｒｅｆｌｅｃｔｉｏｎ）を組み合わせた表示装置は、ＴＲ−Ｈｙｂｒｉｄディスプレイと呼ぶことができる。
【０２２０】
なお、透過型液晶素子を第１の液晶素子５２７として、これを駆動するトランジスタを第１のトランジスタ５２９とする。また、反射型液晶素子を第２の液晶素子５３１として、これを駆動するトランジスタを第２のトランジスタ５３３とする。トランジスタ５２９およびトランジスタ５３３は前述のトランジスタ３０５やトランジスタ３７５と同じ構成とすればよい。
【０２２１】
第１の液晶素子５２７、第１のトランジスタ５２９、第２のトランジスタ５３３等は第１の素子層５３５に設けられ、第２の液晶素子５３１、着色層５３７等は第２の素子層５３９に設けられる。第１の素子層５３５、第２の素子層５３９、タッチパネル４９９等を上述した剥離転置プロセスにより張り合わせることで、表示装置５２５が得られる。
【０２２２】
表示装置５２５は、光源５４１、拡散シート５４３、集光シート５４５、および偏光板５４７が基体５４９の外側に設けられている。基体５４９の第１の液晶素子５２７側には、第１の液晶素子５２７の一方の電極５５１、およびスペーサー５５３が設けられ、電極５５１およびスペーサー５５３を覆うように配向膜５５５が設けられている。第１の液晶素子５２７の他方の電極５５７は第１のトランジスタ５２９に電気的に接続され、電極５５７を覆うように配向膜５５９が設けられている。
【０２２３】
光源５４１はバックライトとして機能する。光源５４１から発せられた光５６１は、拡散シート５４３、集光シート５４５、および偏光板５４７を通って第１の液晶素子５２７に入射する。第１の液晶素子５２７は入射してきた光５６１に対してシャッターの役割をする。第１の液晶素子５２７を通りぬけた光５６１は、反射体４７１で集光され、絶縁膜４６３、スペーサー４８７、着色層５３７等を通って基体４５７側から取り出される。着色層５３７により、取り出された光は表示装置５２５のカラー表示に用いることができる。バックライトをローカルディミング方式とすることで、必要とするところのみ表示が可能となり、表示装置および情報端末の低消費電力を低減することができる。
【０２２４】
第２の液晶素子５３１は反射型液晶素子であり、基体４５７側から第２の液晶素子５３１に入射する外光５０９は、電極４７５で反射され、再び基体４５７側から取り出される。このとき、光５０９は、着色層５３７を２度通り抜けることになる。よって、光５６１が通る着色層の距離と光５０９が通る着色層の距離を調整するため、第２の液晶素子５３１の表示に用いる着色層には、絶縁膜５６３が設けられている。
＜表示装置の構成例５＞
【０２２５】
図２５は、透過型液晶素子と反射型液晶素子を組み合わせたＴＲ−Ｈｙｂｒｉｄディスプレイの異なる構成例を示す断面模式図である。
【０２２６】
表示装置５７０は、フィールドシーケンシャル方式（色順次表示方式、時間分割表示方式、継時加法混色表示方式とも呼ばれる）で表示を行う表示装置である。フィールドシーケンシャル方式は、赤、緑、青のバックライトの点灯を時間的に切り替えて、加法混色によりカラー表示を行う。そのため、各画素にカラーフィルタを設ける必要がなく、バックライトからの透過する光の利用効率を高めることができ、低消費電力化を実現できる。またフィールドシーケンシャル方式で表示を行う表示装置は１つの画素で赤、緑、青を表現することができるため、高精細化が容易であるといった利点がある。
【０２２７】
光源５７１は、赤、緑、青の点灯を順次切り替えることができる。具体的には、赤を発光するＬＥＤ，緑を発光するＬＥＤ、および青を発光するＬＥＤが設けられている。
【０２２８】
また、図２４で示した表示装置５２５に設けられていた着色層５３７は設けられていない。このようにフィールドシーケンシャル方式を用いた表示装置５７０は、着色層の形成に必要な工程を削減できるため好ましい。
【０２２９】
このように透過型液晶素子である第１の液晶素子５２７と反射型液晶素子である第２の液晶素子５３１を一体化することで、視認性の向上した表示装置を提供することができる。また、一方の表示素子に反射型液晶素子を用いているため表示装置はバックライトが不要で、消費電力を削減できる。
【０２３０】
上記の説明は、本実施の形態の他の例や、他の実施の形態においても適用できる。
【０２３１】
（実施の形態３）
本実施の形態では、本発明の一態様を用いて作製することができる表示モジュールについて説明する。
【０２３２】
図２６（Ａ）に示す表示モジュール６０００は、上部カバー６００１と下部カバー６００２との間に、ＦＰＣ６００５に接続された表示パネル６００６、フレーム６００９、プリント基板６０１０、及びバッテリ６０１１を有する。
【０２３３】
例えば、本発明の一態様を用いて作製された表示装置を、表示パネル６００６に用いることができる。これにより、高い歩留まりで表示モジュールを作製することができる。
【０２３４】
上部カバー６００１及び下部カバー６００２は、表示パネル６００６のサイズに合わせて、形状や寸法を適宜変更することができる。
【０２３５】
また、表示パネル６００６に重ねてタッチパネルを設けてもよい。タッチパネルとしては、抵抗膜方式または静電容量方式のタッチパネルを表示パネル６００６に重畳して用いることができる。また、タッチパネルを設けず、表示パネル６００６に、タッチパネル機能を持たせるようにすることも可能である。
【０２３６】
フレーム６００９は、表示パネル６００６の保護機能の他、プリント基板６０１０の動作により発生する電磁波を遮断するための電磁シールドとしての機能を有する。またフレーム６００９は、放熱板としての機能を有していてもよい。
【０２３７】
プリント基板６０１０は、電源回路、ビデオ信号及びクロック信号を出力するための信号処理回路を有する。電源回路に電力を供給する電源としては、外部の商用電源であっても良いし、別途設けたバッテリ６０１１による電源であってもよい。バッテリ６０１１は、商用電源を用いる場合には、省略可能である。
【０２３８】
また、表示モジュール６０００は、偏光板、位相差板、プリズムシートなどの部材を追加して設けてもよい。
【０２３９】
図２６（Ｂ）は、光学式のタッチセンサを備える表示モジュール６０００の断面概略図である。
【０２４０】
表示モジュール６０００は、プリント基板６０１０に設けられた発光部６０１５及び受光部６０１６を有する。また、上部カバー６００１と下部カバー６００２により囲まれた領域に一対の導光部（導光部６０１７ａ、導光部６０１７ｂ）を有する。
【０２４１】
上部カバー６００１と下部カバー６００２は、例えばプラスチック等を用いることができる。また、上部カバー６００１と下部カバー６００２とは、それぞれ薄く（例えば０．５ｍｍ以上５ｍｍ以下）することが可能である。そのため、表示モジュール６０００を極めて軽量にすることが可能となる。また少ない材料で上部カバー６００１と下部カバー６００２を作製できるため、作製コストを低減できる。
【０２４２】
表示パネル６００６は、フレーム６００９を間に介してプリント基板６０１０やバッテリ６０１１と重ねて設けられている。表示パネル６００６とフレーム６００９は、導光部６０１７ａ、導光部６０１７ｂに固定されている。
【０２４３】
発光部６０１５から発せられた光６０１８は、導光部６０１７ａにより表示パネル６００６の上部を経由し、導光部６０１７ｂを通って受光部６０１６に達する。例えば指や、スタイラスなどのタッチペンなどの被検知体により、光６０１８が遮られることにより、タッチ操作を検出することができる。
【０２４４】
発光部６０１５は、例えば表示パネル６００６の隣接する２辺に沿って複数設けられる。受光部６０１６は、発光部６０１５と表示パネル６００６を挟んで対向する位置に複数設けられる。これにより、タッチ操作がなされた位置の情報を取得することができる。
【０２４５】
発光部６０１５は、例えばＬＥＤ素子などの光源を用いることができる。特に、発光部６０１５として、使用者に視認されず、且つ使用者にとって無害である赤外線を発する光源を用いることが好ましい。
【０２４６】
受光部６０１６は、発光部６０１５が発する光を受光し、電気信号に変換する光電素子を用いることができる。好適には、赤外線を受光可能なフォトダイオードを用いることができる。
【０２４７】
導光部６０１７ａ、導光部６０１７ｂとしては、少なくとも光６０１８を透過する部材を用いることができる。導光部６０１７ａ及び導光部６０１７ｂを用いることで、発光部６０１５と受光部６０１６とを表示パネル６００６の下側に配置することができ、外光が受光部６０１６に到達してタッチセンサが誤動作することを抑制できる。特に、可視光を吸収し、赤外線を透過する樹脂を用いることが好ましい。これにより、タッチセンサの誤動作をより効果的に抑制できる。
【０２４８】
本実施の形態は、少なくともその一部を本明細書中に記載する他の実施の形態と適宜組み合わせて実施することができる。
【０２４９】
（実施の形態４）
本実施の形態では、上記実施の形態のＯＳトランジスタに用いることができるＣＡＣ（Ｃｌｏｕｄ  Ａｌｉｇｎｅｄ  Ｃｏｍｐｌｅｍｅｎｔａｒｙ）−ＯＳについて説明する。
【０２５０】
ＣＡＣ−ＯＳとは、例えば、酸化物半導体を構成する元素が、０．５ｎｍ以上１０ｎｍ以下、好ましくは、１ｎｍ以上２ｎｍ以下、またはその近傍のサイズで偏在した材料の一構成である。なお、以下では、酸化物半導体において、一つあるいはそれ以上の金属元素が偏在し、該金属元素を有する領域が、０．５ｎｍ以上１０ｎｍ以下、好ましくは、１ｎｍ以上２ｎｍ以下、またはその近傍のサイズで混合した状態をモザイク状、またはパッチ状ともいう。
【０２５１】
なお、酸化物半導体は、少なくともインジウムを含むことが好ましい。特にインジウムおよび亜鉛を含むことが好ましい。また、それらに加えて、アルミニウム、ガリウム、イットリウム、銅、バナジウム、ベリリウム、ホウ素、シリコン、チタン、鉄、ニッケル、ゲルマニウム、ジルコニウム、モリブデン、ランタン、セリウム、ネオジム、ハフニウム、タンタル、タングステン、またはマグネシウムなどから選ばれた一種、または複数種が含まれていてもよい。
【０２５２】
例えば、Ｉｎ−Ｇａ−Ｚｎ酸化物におけるＣＡＣ−ＯＳ（ＣＡＣ−ＯＳの中でもＩｎ−Ｇａ−Ｚｎ酸化物を、特にＣＡＣ−ＩＧＺＯと呼称してもよい。）とは、インジウム酸化物（以下、ＩｎＯＸ１（Ｘ１は０よりも大きい実数）とする。）、またはインジウム亜鉛酸化物（以下、ＩｎＸ２ＺｎＹ２ＯＺ２（Ｘ２、Ｙ２、およびＺ２は０よりも大きい実数）とする。）と、ガリウム酸化物（以下、ＧａＯＸ３（Ｘ３は０よりも大きい実数）とする。）、またはガリウム亜鉛酸化物（以下、ＧａＸ４ＺｎＹ４ＯＺ４（Ｘ４、Ｙ４、およびＺ４は０よりも大きい実数）とする。）などと、に材料が分離することでモザイク状となり、モザイク状のＩｎＯＸ１、またはＩｎＸ２ＺｎＹ２ＯＺ２が、膜中に均一に分布した構成（以下、クラウド状ともいう。）である。
【０２５３】
つまり、ＣＡＣ−ＯＳは、ＧａＯＸ３が主成分である領域と、ＩｎＸ２ＺｎＹ２ＯＺ２、またはＩｎＯＸ１が主成分である領域とが、混合している構成を有する複合酸化物半導体である。なお、本明細書において、例えば、第１の領域の元素Ｍに対するＩｎの原子数比が、第２の領域の元素Ｍに対するＩｎの原子数比よりも大きいことを、第１の領域は、第２の領域と比較して、Ｉｎの濃度が高いとする。
【０２５４】
なお、ＩＧＺＯは通称であり、Ｉｎ、Ｇａ、Ｚｎ、およびＯによる１つの化合物をいう場合がある。代表例として、ＩｎＧａＯ３（ＺｎＯ）ｍ１（ｍ１は自然数）、またはＩｎ（１＋ｘ０）Ｇａ（１−ｘ０）Ｏ３（ＺｎＯ）ｍ０（−１≦ｘ０≦１、ｍ０は任意数）で表される結晶性の化合物が挙げられる。
【０２５５】
上記結晶性の化合物は、単結晶構造、多結晶構造、またはＣＡＡＣ構造を有する。なお、ＣＡＡＣ構造とは、複数のＩＧＺＯのナノ結晶がｃ軸配向を有し、かつａ−ｂ面においては配向せずに連結した結晶構造である。
【０２５６】
一方、ＣＡＣ−ＯＳは、酸化物半導体の材料構成に関する。ＣＡＣ−ＯＳとは、Ｉｎ、Ｇａ、Ｚｎ、およびＯを含む材料構成において、一部にＧａを主成分とするナノ粒子状に観察される領域と、一部にＩｎを主成分とするナノ粒子状に観察される領域とが、それぞれモザイク状にランダムに分散している構成をいう。従って、ＣＡＣ−ＯＳにおいて、結晶構造は副次的な要素である。
【０２５７】
なお、ＣＡＣ−ＯＳは、組成の異なる二種類以上の膜の積層構造は含まないものとする。例えば、Ｉｎを主成分とする膜と、Ｇａを主成分とする膜との２層からなる構造は、含まない。
【０２５８】
なお、ＧａＯＸ３が主成分である領域と、ＩｎＸ２ＺｎＹ２ＯＺ２、またはＩｎＯＸ１が主成分である領域とは、明確な境界が観察できない場合がある。
【０２５９】
なお、ガリウムの代わりに、アルミニウム、イットリウム、銅、バナジウム、ベリリウム、ホウ素、シリコン、チタン、鉄、ニッケル、ゲルマニウム、ジルコニウム、モリブデン、ランタン、セリウム、ネオジム、ハフニウム、タンタル、タングステン、またはマグネシウムなどから選ばれた一種、または複数種が含まれている場合、ＣＡＣ−ＯＳは、一部に該金属元素を主成分とするナノ粒子状に観察される領域と、一部にＩｎを主成分とするナノ粒子状に観察される領域とが、それぞれモザイク状にランダムに分散している構成をいう。
【０２６０】
ＣＡＣ−ＯＳは、例えば基板を加熱しない条件で、スパッタリング法により形成することができる。また、ＣＡＣ−ＯＳをスパッタリング法で形成する場合、成膜ガスとして、不活性ガス（代表的にはアルゴン）、酸素ガス、及び窒素ガスの中から選ばれたいずれか一つまたは複数を用いればよい。また、成膜時の成膜ガスの総流量に対する酸素ガスの流量比は低いほど好ましく、例えば酸素ガスの流量比を０％以上３０％未満、好ましくは０％以上１０％以下とすることが好ましい。
【０２６１】
ＣＡＣ−ＯＳは、Ｘ線回折（ＸＲＤ：Ｘ−ｒａｙ  ｄｉｆｆｒａｃｔｉｏｎ）測定法のひとつであるＯｕｔ−ｏｆ−ｐｌａｎｅ法によるθ／２θスキャンを用いて測定したときに、明確なピークが観察されないという特徴を有する。すなわち、Ｘ線回折から、測定領域のａ−ｂ面方向、およびｃ軸方向の配向は見られないことが分かる。
【０２６２】
またＣＡＣ−ＯＳは、プローブ径が１ｎｍの電子線（ナノビーム電子線ともいう。）を照射することで得られる電子線回折パターンにおいて、リング状に輝度の高い領域と、該リング領域に複数の輝点が観測される。従って、電子線回折パターンから、ＣＡＣ−ＯＳの結晶構造が、平面方向、および断面方向において、配向性を有さないｎｃ（ｎａｎｏ−ｃｒｙｓｔａｌ）構造を有することがわかる。
【０２６３】
また例えば、Ｉｎ−Ｇａ−Ｚｎ酸化物におけるＣＡＣ−ＯＳでは、エネルギー分散型Ｘ線分光法（ＥＤＸ：Ｅｎｅｒｇｙ  Ｄｉｓｐｅｒｓｉｖｅ  Ｘ−ｒａｙ  ｓｐｅｃｔｒｏｓｃｏｐｙ）を用いて取得したＥＤＸマッピングにより、ＧａＯＸ３が主成分である領域と、ＩｎＸ２ＺｎＹ２ＯＺ２、またはＩｎＯＸ１が主成分である領域とが、偏在し、混合している構造を有することが確認できる。
【０２６４】
ＣＡＣ−ＯＳは、金属元素が均一に分布したＩＧＺＯ化合物とは異なる構造であり、ＩＧＺＯ化合物と異なる性質を有する。つまり、ＣＡＣ−ＯＳは、ＧａＯＸ３などが主成分である領域と、ＩｎＸ２ＺｎＹ２ＯＺ２、またはＩｎＯＸ１が主成分である領域と、に互いに相分離し、各元素を主成分とする領域がモザイク状である構造を有する。
【０２６５】
ここで、ＩｎＸ２ＺｎＹ２ＯＺ２、またはＩｎＯＸ１が主成分である領域は、ＧａＯＸ３などが主成分である領域と比較して、導電性が高い領域である。つまり、ＩｎＸ２ＺｎＹ２ＯＺ２、またはＩｎＯＸ１が主成分である領域を、キャリアが流れることにより、酸化物半導体としての導電性が発現する。従って、ＩｎＸ２ＺｎＹ２ＯＺ２、またはＩｎＯＸ１が主成分である領域が、酸化物半導体中にクラウド状に分布することで、高い電界効果移動度（μ）が実現できる。
【０２６６】
一方、ＧａＯＸ３などが主成分である領域は、ＩｎＸ２ＺｎＹ２ＯＺ２、またはＩｎＯＸ１が主成分である領域と比較して、絶縁性が高い領域である。つまり、ＧａＯＸ３などが主成分である領域が、酸化物半導体中に分布することで、リーク電流を抑制し、良好なスイッチング動作を実現できる。
【０２６７】
従って、ＣＡＣ−ＯＳを半導体素子に用いた場合、ＧａＯＸ３などに起因する絶縁性と、ＩｎＸ２ＺｎＹ２ＯＺ２、またはＩｎＯＸ１に起因する導電性とが、相補的に作用することにより、高いオン電流（Ｉｏｎ）、および高い電界効果移動度（μ）を実現することができる。
【０２６８】
また、ＣＡＣ−ＯＳを用いた半導体素子は、信頼性が高い。従って、ＣＡＣ−ＯＳは、ディスプレイをはじめとするさまざまな半導体装置に最適である。
【０２６９】
本明細書において、特に断りがない場合、オン電流とは、トランジスタがオン状態にあるときのドレイン電流をいう。オン状態（オンと略す場合もある）とは、特に断りがない場合、ｎチャネル型トランジスタでは、ゲートとソースの間の電圧（ＶＧ）がしきい値電圧（Ｖｔｈ）以上の状態、ｐチャネル型トランジスタでは、ＶＧがＶｔｈ以下の状態をいう。例えば、ｎチャネル型のトランジスタのオン電流とは、ＶＧがＶｔｈ以上のときのドレイン電流を言う。また、トランジスタのオン電流は、ドレインとソースの間の電圧（ＶＤ）に依存する場合がある。
【０２７０】
本明細書において、特に断りがない場合、オフ電流とは、トランジスタがオフ状態にあるときのドレイン電流をいう。オフ状態（オフと略す場合もある）とは、特に断りがない場合、ｎチャネル型トランジスタでは、ＶＧがＶｔｈよりも低い状態、ｐチャネル型トランジスタでは、ＶＧがＶｔｈよりも高い状態をいう。例えば、ｎチャネル型のトランジスタのオフ電流とは、ＶＧがＶｔｈよりも低いときのドレイン電流を言う。トランジスタのオフ電流は、ＶＧに依存する場合がある。従って、トランジスタのオフ電流が１０−２１Ａ未満である、とは、トランジスタのオフ電流が１０−２１Ａ未満となるＶＧの値が存在することを言う場合がある。
【０２７１】
また、トランジスタのオフ電流は、ＶＤに依存する場合がある。本明細書において、オフ電流は、特に記載がない場合、ＶＤの絶対値が０．１Ｖ、０．８Ｖ、１Ｖ、１．２Ｖ、１．８Ｖ、２．５Ｖ、３Ｖ、３．３Ｖ、１０Ｖ、１２Ｖ、１６Ｖ、または２０Ｖにおけるオフ電流を表す場合がある。または、当該トランジスタが含まれる半導体装置等において使用されるＶＤにおけるオフ電流を表す場合がある。
【０２７２】
本明細書等において、トランジスタの接続関係を説明する際、ソースとドレインとの一方を、「ソースまたはドレインの一方」（又は第１電極、又は第１端子）と表記し、ソースとドレインとの他方を「ソースまたはドレインの他方」（又は第２電極、又は第２端子）と表記している。これは、トランジスタのソースとドレインは、トランジスタの構造又は動作条件等によって変わるためである。なおトランジスタのソースとドレインの呼称については、ソース（ドレイン）端子や、ソース（ドレイン）電極等、状況に応じて適切に言い換えることができる。
【０２７３】
例えば、本明細書等において、ＸとＹとが接続されている、と明示的に記載されている場合は、ＸとＹとが電気的に接続されている場合と、ＸとＹとが機能的に接続されている場合と、ＸとＹとが直接接続されている場合とが、本明細書等に開示されているものとする。したがって、所定の接続関係、例えば、図または文章に示された接続関係に限定されず、図または文章に示された接続関係以外のものも、図または文章に記載されているものとする。
【０２７４】
ここで、Ｘ、Ｙは、対象物（例えば、装置、素子、回路、配線、電極、端子、導電膜、層、など）であるとする。
【０２７５】
ＸとＹとが直接的に接続されている場合の一例としては、ＸとＹとの電気的な接続を可能とする素子（例えば、スイッチ、トランジスタ、容量素子、インダクタ、抵抗素子、ダイオード、表示素子、発光素子、負荷など）が、ＸとＹとの間に接続されていない場合であり、ＸとＹとの電気的な接続を可能とする素子（例えば、スイッチ、トランジスタ、容量素子、インダクタ、抵抗素子、ダイオード、表示素子、発光素子、負荷など）を介さずに、ＸとＹとが、接続されている場合である。
【０２７６】
ＸとＹとが電気的に接続されている場合の一例としては、ＸとＹとの電気的な接続を可能とする素子（例えば、スイッチ、トランジスタ、容量素子、インダクタ、抵抗素子、ダイオード、表示素子、発光素子、負荷など）が、ＸとＹとの間に１個以上接続されることが可能である。なお、スイッチは、オン・オフが制御される機能を有している。つまり、スイッチは、導通状態（オン状態）、または、非導通状態（オフ状態）になり、電流を流すか流さないかを制御する機能を有している。または、スイッチは、電流を流す経路を選択して切り替える機能を有している。なお、ＸとＹとが電気的に接続されている場合は、ＸとＹとが直接的に接続されている場合を含むものとする。
【０２７７】
ＸとＹとが機能的に接続されている場合の一例としては、ＸとＹとの機能的な接続を可能とする回路（例えば、論理回路（インバータ、ＮＡＮＤ回路、ＮＯＲ回路など）、信号変換回路（ＤＡ変換回路、ＡＤ変換回路、ガンマ補正回路など）、電位レベル変換回路（電源回路（昇圧回路、降圧回路など）、信号の電位レベルを変えるレベルシフタ回路など）、電圧源、電流源、切り替え回路、増幅回路（信号振幅または電流量などを大きく出来る回路、オペアンプ、差動増幅回路、ソースフォロワ回路、バッファ回路など）、信号生成回路、記憶回路、制御回路など）が、ＸとＹとの間に１個以上接続されることが可能である。なお、一例として、ＸとＹとの間に別の回路を挟んでいても、Ｘから出力された信号がＹへ伝達される場合は、ＸとＹとは機能的に接続されているものとする。なお、ＸとＹとが機能的に接続されている場合は、ＸとＹとが直接的に接続されている場合と、ＸとＹとが電気的に接続されている場合とを含むものとする。
【０２７８】
なお、ＸとＹとが電気的に接続されている、と明示的に記載されている場合は、ＸとＹとが電気的に接続されている場合（つまり、ＸとＹとの間に別の素子又は別の回路を挟んで接続されている場合）と、ＸとＹとが機能的に接続されている場合（つまり、ＸとＹとの間に別の回路を挟んで機能的に接続されている場合）と、ＸとＹとが直接接続されている場合（つまり、ＸとＹとの間に別の素子又は別の回路を挟まずに接続されている場合）とが、本明細書等に開示されているものとする。つまり、電気的に接続されている、と明示的に記載されている場合は、単に、接続されている、とのみ明示的に記載されている場合と同様な内容が、本明細書等に開示されているものとする。
【０２７９】
なお、例えば、トランジスタのソース（又は第１の端子など）が、Ｚ１を介して（又は介さず）、Ｘと電気的に接続され、トランジスタのドレイン（又は第２の端子など）が、Ｚ２を介して（又は介さず）、Ｙと電気的に接続されている場合や、トランジスタのソース（又は第１の端子など）が、Ｚ１の一部と直接的に接続され、Ｚ１の別の一部がＸと直接的に接続され、トランジスタのドレイン（又は第２の端子など）が、Ｚ２の一部と直接的に接続され、Ｚ２の別の一部がＹと直接的に接続されている場合では、以下のように表現することが出来る。
【０２８０】
例えば、「ＸとＹとトランジスタのソース（又は第１の端子など）とドレイン（又は第２の端子など）とは、互いに電気的に接続されており、Ｘ、トランジスタのソース（又は第１の端子など）、トランジスタのドレイン（又は第２の端子など）、Ｙの順序で電気的に接続されている。」と表現することができる。または、「トランジスタのソース（又は第１の端子など）は、Ｘと電気的に接続され、トランジスタのドレイン（又は第２の端子など）はＹと電気的に接続され、Ｘ、トランジスタのソース（又は第１の端子など）、トランジスタのドレイン（又は第２の端子など）、Ｙは、この順序で電気的に接続されている」と表現することができる。または、「Ｘは、トランジスタのソース（又は第１の端子など）とドレイン（又は第２の端子など）とを介して、Ｙと電気的に接続され、Ｘ、トランジスタのソース（又は第１の端子など）、トランジスタのドレイン（又は第２の端子など）、Ｙは、この接続順序で設けられている」と表現することができる。これらの例と同様な表現方法を用いて、回路構成における接続の順序について規定することにより、トランジスタのソース（又は第１の端子など）と、ドレイン（又は第２の端子など）とを、区別して、技術的範囲を決定することができる。
【０２８１】
または、別の表現方法として、例えば、「トランジスタのソース（又は第１の端子など）は、少なくとも第１の接続経路を介して、Ｘと電気的に接続され、前記第１の接続経路は、第２の接続経路を有しておらず、前記第２の接続経路は、トランジスタを介した、トランジスタのソース（又は第１の端子など）とトランジスタのドレイン（又は第２の端子など）との間の経路であり、前記第１の接続経路は、Ｚ１を介した経路であり、トランジスタのドレイン（又は第２の端子など）は、少なくとも第３の接続経路を介して、Ｙと電気的に接続され、前記第３の接続経路は、前記第２の接続経路を有しておらず、前記第３の接続経路は、Ｚ２を介した経路である。」と表現することができる。または、「トランジスタのソース（又は第１の端子など）は、少なくとも第１の接続経路によって、Ｚ１を介して、Ｘと電気的に接続され、前記第１の接続経路は、第２の接続経路を有しておらず、前記第２の接続経路は、トランジスタを介した接続経路を有し、トランジスタのドレイン（又は第２の端子など）は、少なくとも第３の接続経路によって、Ｚ２を介して、Ｙと電気的に接続され、前記第３の接続経路は、前記第２の接続経路を有していない。」と表現することができる。または、「トランジスタのソース（又は第１の端子など）は、少なくとも第１の電気的パスによって、Ｚ１を介して、Ｘと電気的に接続され、前記第１の電気的パスは、第２の電気的パスを有しておらず、前記第２の電気的パスは、トランジスタのソース（又は第１の端子など）からトランジスタのドレイン（又は第２の端子など）への電気的パスであり、トランジスタのドレイン（又は第２の端子など）は、少なくとも第３の電気的パスによって、Ｚ２を介して、Ｙと電気的に接続され、前記第３の電気的パスは、第４の電気的パスを有しておらず、前記第４の電気的パスは、トランジスタのドレイン（又は第２の端子など）からトランジスタのソース（又は第１の端子など）への電気的パスである。」と表現することができる。これらの例と同様な表現方法を用いて、回路構成における接続経路について規定することにより、トランジスタのソース（又は第１の端子など）と、ドレイン（又は第２の端子など）とを、区別して、技術的範囲を決定することができる。
【０２８２】
なお、これらの表現方法は、一例であり、これらの表現方法に限定されない。ここで、Ｘ、Ｙ、Ｚ１、Ｚ２は、対象物（例えば、装置、素子、回路、配線、電極、端子、導電膜、層、など）であるとする。
【０２８３】
なお、回路図上は独立している構成要素同士が電気的に接続しているように図示されている場合であっても、１つの構成要素が、複数の構成要素の機能を併せ持っている場合もある。例えば配線の一部が電極としても機能する場合は、一の導電膜が、配線の機能、及び電極の機能の両方の構成要素の機能を併せ持っている。したがって、本明細書における電気的に接続とは、このような、一の導電膜が、複数の構成要素の機能を併せ持っている場合も、その範疇に含める。
【０２８４】
本実施の形態は、少なくともその一部を本明細書中に記載する他の実施の形態と適宜組み合わせて実施することができる。
【実施例１】
【０２８５】
本発明の情報端末を用いることで、以下に提案するような教育支援システムを構築することができ、教育支援サービスを提供することができる。
【０２８６】
図２７に本発明を用いた教育支援システムおよび教育支援サービスの一形態を示す。図２７に示すサービスは、ハイブリッドディスプレイを有する情報端末１０、スタイラスなどのタッチペン５９から構成される。情報端末１０の表示領域１２には、領域５２、領域５３、領域５４があり、それぞれＬｉｎｅ、Ｍａｒｋｅｒ、Ｃｏｌｏｒが表示されている。ここで、領域５２、領域５３、領域５４の表示はこれに限定されず、どのように表示されていても良い。指や、スタイラスなどのタッチペン５９で、領域５２をタッチすることで、ラインモードに変更することができる。また、指やタッチペン５９で、領域５２をタッチすることで、マーカーモードに変更することができる。また、指やタッチペン５９で、領域５３をタッチすることで、ラインモード及びマーカーモードにおける有機ＥＬ素子の表示色を変更することができる。尚、タッチすることで、特定の機能が働く領域はこれに限定されず、何個あってもよい。
【０２８７】
ここで、本発明を用いた教育支援システムにおいて、図２７（Ａ）および図２７（Ｂ）に情報端末１０を教科書として用い、特定の文字など所望する場所にユーザがラインやマーカーを書き込んだ例を示す。具体的には、表示領域１２において、領域５５に特定の文字が表示されており、領域５６には、何も文字が表示されていない場合を想定する。
【０２８８】
まず、図２７（Ａ）を用いて、ラインモードの動作について説明する。
【０２８９】
指やタッチペン５９にて、領域５２をタッチすることで、情報端末１０はラインモードとなる。ここで、図２７（Ａ）のように、タッチペン５９にて領域５７上をタッチする。情報端末１０はラインモードであるため、領域５７にはラインを引くことができる。
【０２９０】
次に、図２７（Ｂ）を用いて、マーカーモードの動作について説明する。
【０２９１】
指やタッチペン５９にて、領域５３をタッチすることで、情報端末１０はマーカーモードとなる。ここで、図２７（Ｂ）のように、タッチペン５９にて領域５８上をタッチする。情報端末１０はマーカーモードであるため、領域５８にはマーカーを引くことができる。
【０２９２】
図２７（Ａ）および図２７（Ｂ）において、領域５２、領域５３、領域５４、および領域５５に示す文字は反射型液晶素子を用いて表示されることが好ましい。また、図２７（Ａ）および図２７（Ｂ）において、領域５７、領域５８に示すラインやマーカーは有機ＥＬ素子を用いて表示されることが好ましい。尚、前述したように、ラインやマーカーを引く場合は、反射型液晶素子の表示も変更することが好ましい。
【０２９３】
教育支援システムでは、予め用意された教科書のページ（反射型液晶素子のみで表示される）に、ユーザがタッチペンを利用してラインやマーカーを書き込むことが可能となる。また、ユーザは文字を書き込むことが可能である。この場合、文字は、複数のラインから構成することができるため、ラインモードの状態で文字を書き込むことができる。
【０２９４】
以上のようにして、ユーザは、予め用意された教科書のページを加工して、ユーザ独自の表示を生成することができる。
【０２９５】
図２７（Ｃ）および図２７（Ｄ）に本発明を用いた教育支援システムの応用例を示す。図２７（Ｃ）は、ユーザが文字を書いている例を示す。例えば、領域６０の見本を参考に、ユーザは文字を書くことができる。このときはラインモードで動作させることが有効である。図２７（Ｄ）は、情報端末１０をテストや問題集として用いた例を示す。ここでは、数式６１の回答をユーザが記入する例を示す。
【０２９６】
図２７（Ｃ）および図２７（Ｄ）において、領域５２、領域５３、領域５４、領域６０、および領域６１に示す文字は反射型液晶素子を用いて表示されることが好ましい。また、図２７（Ｃ）および図２７（Ｄ）において、手書き入力文字は有機ＥＬ素子を用いて表示されることが好ましい。尚、前述したように、手書き文字を入力する場合は、反射型液晶素子の表示も変更することが好ましい。
【０２９７】
図２８に本発明を用いた教育支援システムおよび教育支援サービスの一態様を示す。図２８（Ａ）に当該サービスを提供するシステムの全体構成を示す。当該システムは、第１の情報端末３００３、サーバー３００４、および第２の情報端末３００５から構成される。第１の情報端末３００３、サーバー３００４、および第２の情報端末３００５は、無線あるいは有線のネットワーク３０１０を介して接続されている。第１の情報端末３００３は、ユーザ３００１が所持する。第１の情報端末３００３および第２の情報端末３００５の内、少なくとも第１の情報端末３００３は、本発明のハイブリッドディスプレイを有している。第２の情報端末３００５も本発明のハイブリッドディスプレイを有することが好ましいが、これに限らない。第２の情報端末３００５としては、ハイブリッドディスプレイを有していなくても良く、タブレット、デスクトップＰＣ、またはラップトップＰＣ等を用いることができる。
【０２９８】
サーバー３００４、および第２の情報端末３００５は、事業者や教育機関等の管理者３００２が管理し、第２の情報端末３００５は教師や講師等が所持する。教育機関には、学校、塾、通信教育等が含まれる。
【０２９９】
問題情報３００６はネットワーク３０１０およびサーバー３００４を介して第２の情報端末３００５から第１の情報端末３００３に送信され、解答情報３００７はネットワーク３０１０およびサーバー３００４を介して第１の情報端末３００３から第２の情報端末３００５に送信され、採点情報・コメント３００８はネットワーク３０１０およびサーバー３００４を介して第２の情報端末３００５から第１の情報端末３００３に送信される。また、第１の情報端末３００３と第２の情報端末３００５の間で音声情報３００９のやり取りが可能である。音声情報３００９はネットワーク３０１０やサーバー３００４を必ずしも用いる必要はない。
【０３００】
図２８（Ｂ）に、本システムのタイミングチャートを示す。図２８（Ｂ）には、管理者３００２の動作、ユーザ３００１の動作、問題情報３００６（Ｑ）の表示、解答情報３００７（Ａ）の表示、採点情報・コメント３００８（Ｃ）の表示の時間変化を示す。
【０３０１】
また、図２９に、本システムのフローチャートを示す。
【０３０２】
本システムにおいて、まず第１の情報端末３００３からアカウント情報を入力し、サーバー３００４に送信することでアカウント認証を行う（２１０１）。当該アカウント情報が承認されることで、第１の情報端末３００３と第２の情報端末３００５の通信が開始される（２１０２）。
【０３０３】
時刻Ｔ０以前にて、ユーザ３００１はＱの受信を待機する（２１０３）。管理者３００２は第２の情報端末３００５を用いてＱの送信を行う。時刻Ｔ０にて、ユーザは第１の情報端末３００３を用いて、Ｑを受信する（２１０４）。情報端末の液晶表示素子において、Ｑが表示される（２１０５）。
【０３０４】
時刻Ｔ１以前にて、ユーザ３００１はＡの記入を行う。第１の情報端末３００３の有機ＥＬ素子において、Ａが表示される（２１０６）。時刻Ｔ１にて、ユーザ３００１は第１の情報端末３００３を用いて、Ａの送信を行う（２１０７）。その後、管理者３００２は第２の情報端末３００５を用いてＡを受信する。
【０３０５】
時刻Ｔ２以前にて、ユーザ３００１はＣの受信を待機する（２１０８）。管理者３００２は第２の情報端末３００５を用いてＣの送信を行う。時刻Ｔ２にて、ユーザ３００１は第１の情報端末３００３を用いて、Ｃを受信する（２１０９）。このとき、第１の情報端末３００３の液晶表示素子には、Ｑ及びＡが表示され、第１の情報端末３００３の有機ＥＬ素子には、Ｃが表示される（２１１０）。
【０３０６】
ハイブリッドディスプレイにおいて、有機ＥＬ素子を用いて表示を行うことで、はっきり視認することができるため、強調したい情報は有機ＥＬ素子にて表示することが好ましい。以上のような表示方法とすることで、ユーザ３００１が回答した時点では、Ａが有機ＥＬ素子にて表示され、すなわち、強調される。また、ユーザ３００１がＣを受信した時点では、Ｃが有機ＥＬ素子に表示され、すなわち、強調される。
【０３０７】
本システムでは、アカウント認証がされることで、第１の情報端末３００３と第２の情報端末３００５をネットワーク３０１０やサーバー３００４接続し、音声情報３００９の授受を行うことも可能である。なお、当該音声情報３００９もネットワーク３０１０およびサーバー３００４を介した構成とすることもできる。
【０３０８】
以上のように、本発明の教育システムを利用して、教育サービスを提供することが出来る。
【実施例２】
【０３０９】
本発明を用いることで、以下に提案するようなスケジュール管理システムや、電子カレンダーサービスを提供できる。
【０３１０】
図３０に、本発明を利用したスケジュール管理システムおよび電子カレンダーサービスの例を示す。
【０３１１】
本サービスにおいて、図３０（Ａ）に示すように予めカレンダーの日付テンプレートを用意しておく。日付テンプレートには、領域７０、領域７１、領域７２などが含まれる。ここで、領域７０は月と年の情報を含む。領域７１は日付及び曜日の情報を含む。領域７２はメモ欄の情報を含む。尚、日付テンプレートにおいて、領域はこれらに限定されず、他の領域を設けても良い。
【０３１２】
ユーザは所望のライン及びマーカーを図示することができる。
【０３１３】
本例では、領域７２には、マーカー７３、マーカーの説明、イベント情報等のメモ７４を入力あるいは表示させることができる。マーカー７３はマーカーモードにより入力を行い、メモ７４はラインモードにて入力を行う。
【０３１４】
また、本実施例では、領域７１にマーカー７５や手書き入力された文字７６を図示することができる。これらの入力には指や、スタイラスなどのタッチペン５９を用いることができる。
【０３１５】
また、本サービスでは、ユーザにより入力されたスケジュールやメモ等のデータを他のユーザに送信することができる。
【０３１６】
図３０（Ｂ）に示すように、第１のユーザが管理する第１の端末８１に入力されたデータは、無線あるいは有線のネットワーク８４を介してサーバー８５に転送される。転送されたデータは、あらかじめ登録された第２の端末８２および第３の端末８３に転送される。第２の端末８２が本サービスに加入していれば、第２の端末８２には第１の端末８１と同じようにカレンダー上に当該スケジュール情報やメモ情報が表示される。第３の端末８３が本サービスに加入していない場合は、当該スケジュール情報やメモ情報をテキスト形式等で送信すればよい。または、第１の端末８１乃至第３の端末８３には特別なソフトウェアやアプリケーションをインストールせず、無線あるいは有線のネットワーク８４を介してインターネット８６上でスケジュールの編集や閲覧を行ってもよい。
【０３１７】
このようなシステムを用いることで、スケジュールの共有だけでなく、急なスケジュールの変更を、複数の登録者に対して一斉に通知することができる。例えば、学校や塾などの教育機関において、授業を行う教室の変更や休講の案内を学生や関係者に迅速に通知することができる。また、掲示板としても利用できる。
【０３１８】
以上のように、本発明のシステムを利用して、電子カレンダーサービスを提供することが出来る。
【符号の説明】
【０３１９】
Ｂ０    元画像
Ｃ１    容量素子
Ｃ２    容量素子
Ｃ３    容量素子
ｄａｔａ０    画像データ
ｄａｔａ１    画像データ
ＦＤ１    ノード
ＦＤ２    ノード
ＦＤ３    ノード
Ｌ１    データ
Ｍ１    トランジスタ
Ｍ２    トランジスタ
Ｍ３    トランジスタ
Ｍ４    トランジスタ
Ｍ６    トランジスタ
Ｍ７    トランジスタ
Ｍ８    トランジスタ
Ｍ９    トランジスタ
Ｍ１１    トランジスタ
Ｍ１２    トランジスタ
ＰＣ１    配線
ＰＣ２    配線
１０    情報端末
１１    筐体
１２    表示領域
１３    操作ボタン
１４    操作ボタン
１５    カメラ
１６    タッチペン
２１    文字
２２    下線
２３    枠線
２４    線
２５    マーカー
２６    文字
３０    表示パネル
３１    画素
３４    ゲートドライバ
３５    ソースドライバ
４１    領域
４３    領域
４５    下線
４７    線
４９    文字
５１    マーカー
５２    領域
５３    領域
５４    領域
５５    領域
５６    領域
５７    領域
５８    領域
５９    タッチペン
６０    領域
６１    領域
７０    領域
７１    領域
７２    領域
７３    マーカー
７４    メモ
７５    マーカー
７６    文字
８１    端末
８２    端末
８３    端末
８４    ネットワーク
８５    サーバー
８６    インターネット
１１０    表示素子
１１２    液晶
１１３    導電層
１１７    絶縁層
１２１    絶縁層
１３０    表示素子
１３１    着色層
１３２    遮光層
１３３ａ    配向膜
１３３ｂ    配向膜
１３４    着色層
１３５    偏光板
１４１    接着層
１４２    接着層
１５０    タッチセンサ
１６１    マルチプレクサ
１６２    Ａ／Ｄコンバータ
１７０    発光素子
１８０    液晶素子
１９０    フォトダイオード
１９１    導電層
１９２    ＥＬ層
１９３ａ    導電層
１９３ｂ    導電層
２０１    トランジスタ
２０４    接続部
２０５    トランジスタ
２０６    トランジスタ
２０７    接続部
２１１    絶縁層
２１２    絶縁層
２１３    絶縁層
２１４    絶縁層
２１５    絶縁層
２１６    絶縁層
２２０    絶縁層
２２１    導電層
２２２ａ    導電層
２２２ｂ    導電層
２２３    導電層
２２４ａ    導電層
２２４ｂ    導電層
２３１    半導体層
２４２    接続層
２４３    接続体
２５２    接続部
３０５    トランジスタ
３０９    発光素子
３１１    封止材
３１１ａ    導電層
３１１ｂ    導電層
３４３    トランジスタ
３５１    基板
３６１    基板
３７２    ＦＰＣ
３７５    トランジスタ
４５０    表示装置
４５１    開口
４５２    発光素子
４５３    液晶素子
４５５    基体
４５７    基体
４５９    封止材
４６１    電極
４６３    絶縁膜
４６５    光透過媒体
４６７    導電体
４６９    絶縁膜
４７０    絶縁膜
４７１    反射体
４７３    導電体
４７４    絶縁膜
４７５    電極
４７６    絶縁膜
４７７    絶縁膜
４７９    配向膜
４８１    配向膜
４８３    シール材
４８５    液晶
４８７    スペーサー
４８９    電極
４９１    絶縁膜
４９３    着色層
４９５    絶縁膜
４９７    拡散フィルム
４９９    タッチパネル
５０３    偏光板
５０５    開口部
５０７    矢印
５０９    光
５１１    層
５１３    層
５１５    表示装置
５１７    ＥＬ素子部
５１９    液晶素子部
５２１    接着層
５２５    表示装置
５２７    液晶素子
５２９    トランジスタ
５３１    液晶素子
５３３    トランジスタ
５３５    素子層
５３７    着色層
５３９    素子層
５４１    光源
５４３    拡散シート
５４５    集光シート
５４７    偏光板
５４９    基体
５５１    電極
５５３    スペーサー
５５５    配向膜
５５７    電極
５５９    配向膜
５６１    光
５６３    絶縁膜
５７０    表示装置
５７１    光源
６０１    ゲート電極
６０３    絶縁層
６０５    半導体
６０７    導電体
６０９    絶縁層
６１１    ゲート電極
６１３    ＥＬ層
６１５    電極
６１７    ゲート電極
６１９    絶縁層
６２１    チャネル領域
６２３    低抵抗領域
６２５    半導体
６２７    絶縁膜
６２９    導電体
１０００    ハイブリッドディスプレイ
１００１    タッチセンサ
１００３    アプリケーションプロセッサ
１００５    ディスプレイコントローラ
１００７    タッチセンサコントローラ
１００９    データ処理回路
１０１５    モードコントローラ
１０１７    タイミングコントローラ
３００１    ユーザ
３００２    管理者
３００３    情報端末
３００４    サーバー
３００５    情報端末
３００６    問題情報
３００７    解答情報
３００８    採点情報・コメント
３００９    音声情報
３０１０    ネットワーク
６０００    表示モジュール
６００１    上部カバー
６００２    下部カバー
６００５    ＦＰＣ
６００６    表示パネル
６００９    フレーム
６０１０    プリント基板
６０１１    バッテリ
６０１５    発光部
６０１６    受光部
６０１７ａ    導光部
６０１７ｂ    導光部
６０１８    光
【図１】
2018055609.tif 000003
【図２】
2018055609.tif 000004
【図３】
2018055609.tif 000005
【図４】
2018055609.tif 000006
【図５】
2018055609.tif 000007
【図６】
2018055609.tif 000008
【図７】
2018055609.tif 000009
【図８】
2018055609.tif 000010
【図９】
2018055609.tif 000011
【図１０】
2018055609.tif 000012
【図１１】
2018055609.tif 000013
【図１２】
2018055609.tif 000014
【図１３】
2018055609.tif 000015
【図１４】
2018055609.tif 000016
【図１５】
2018055609.tif 000017
【図１６】
2018055609.tif 000018
【図１７】
2018055609.tif 000019
【図１８】
2018055609.tif 000020
【図１９】
2018055609.tif 000021
【図２０】
2018055609.tif 000022
【図２１】
2018055609.tif 000023
【図２２】
2018055609.tif 000024
【図２３】
2018055609.tif 000025
【図２４】
2018055609.tif 000026
【図２５】
2018055609.tif 000027
【図２６】
2018055609.tif 000028
【図２７】
2018055609.tif 000029
【図２８】
2018055609.tif 000030
【図２９】
2018055609.tif 000031
【図３０】
2018055609.tif 000032